(57)【要約】  画面サイズの犠牲を抑えつつ、複数のユーザが各所望コンテンツを同時に視聴することができる表示制御装置を開示する。表示制御部（２０４Ｂ）において、コンテンツ画面表示部（２０４１Ｂ）は、各コンテンツをそれぞれ表示する複数のコンテンツ画面に対し、各コンテンツ表示画面が他のコンテンツ画面と重ならない占有領域を含むよう、画面領域全体における表示位置と表示サイズを制御し、複数のコンテンツ画面の表示データを生成して出力する。判定部（２０４３）は、複数の占有領域の中から、所定の占有領域に表示された一つのコンテンツ画面をユーザが識別したか否か判定する。また、コンテンツ画面表示部（２０４１Ｂ）は、判定部（２０４３）による判定結果に基づいて、複数のコンテンツ画面を占有領域より大きな領域に重畳して表示するための表示データを生成する。
2011018888.tif 000002
【特許請求の範囲】
【請求項１】
複数のコンテンツの表示を制御する表示制御装置であって、
各コンテンツをそれぞれ表示する複数のコンテンツ画面に対し、各コンテンツ表示画面が他のコンテンツ画面と重ならない占有領域を含むよう、画面領域全体における表示位置と表示サイズを制御し、前記複数のコンテンツ画面の表示データを生成して出力するコンテンツ画面表示手段と、
複数の前記占有領域の中から、所定の占有領域に表示された一つのコンテンツ画面をユーザが識別したか否か判定する判定手段と、を備え、
前記コンテンツ画面表示手段は、前記判定手段による判定結果に基づいて、前記複数のコンテンツ画面を前記占有領域より大きな領域に重畳して表示するための表示データを生成することを特徴とする表示制御装置。
【請求項２】
前記コンテンツ画面表示手段は、
前記所定の占有領域に表示された一つのコンテンツ画面を前記ユーザが識別した場合、前記占有領域の枠を前記大きな領域まで徐々に拡大する、
請求項１に記載の表示制御装置。
【請求項３】
前記コンテンツ画面表示手段は、
前記所定の占有領域に表示された一つのコンテンツ画面を前記ユーザが識別した場合、前記画面領域全体の一部に前記ユーザに視野拡大を促すメッセージを表示する、
請求項１に記載の表示制御装置。
【請求項４】
前記占有領域に、前記各コンテンツ画面を識別可能な識別情報を付加する識別情報表示手段、を更に具備する、
請求項１に記載の表示制御装置。
【請求項５】
前記コンテンツ画面表示手段は、
前記複数のコンテンツ画面を透過表示する、又は前記各コンテンツ画像をフレームレートの数倍のレートで交互に表示することにより、前記複数のコンテンツ画面を前記大きな領域に重畳して表示する、
請求項１に記載の表示制御装置。
【請求項６】
前記コンテンツ画面表示手段は、
前記各コンテンツのジャンル又は属性に基づいて、前記占有領域を設定する、
請求項１に記載の表示制御装置。
【請求項７】
前記コンテンツ画面表示手段は、
前記各コンテンツ画面の文字表示領域、色合又は明度に基づいて、前記占有領域を設定する、
請求項１に記載の表示制御装置。
【請求項８】
複数のコンテンツの表示を制御する表示制御方法であって、
各コンテンツをそれぞれ表示する複数のコンテンツ画面に対し、各コンテンツ表示画面が他のコンテンツ画面と重ならない占有領域を含むよう、画面領域全体における表示位置と表示サイズを制御し、前記複数のコンテンツ画面の表示データを生成して出力する画面表示ステップと、
複数の前記占有領域の中から、所定の占有領域に表示された一つのコンテンツ画面をユーザが識別したか否か判定する判定ステップと、を備え、
前記画面表示ステップは、前記判定ステップによる判定結果に基づいて、前記複数のコンテンツ画面を前記占有領域より大きな領域に重畳して表示するための表示データを生成することを特徴とする表示制御方法。
【発明の詳細な説明】
【技術分野】
【０００１】
本発明は、複数のコンテンツ画面を表示する表示制御装置及び表示制御方法に関する。
【背景技術】
【０００２】
近年、音楽、映像、ゲーム等のデジタル著作物であるコンテンツを、デジタル放送或いはインターネット等で配信するシステムが開発され、実用化の段階を迎えている。【０００３】
また、近年、従来のＣＲＴ（Cathode Ray Tube）ディスプレイから地上波デジタル放送に対応したＰＤＰ（Plasma Display Panel）、液晶などの薄型大画面テレビへ急速な置き換えが進んでいる。家庭用テレビの大画面化に伴って、テレビ視聴環境が変化し、今後、複数のユーザが１つのディスプレイを共有しつつ、各々のユーザが、音楽、映像、ゲーム等の異なるコンテンツを視聴したいという要求が高まると予想される。【０００４】
１つのディスプレイに複数のコンテンツ画面を表示する表示装置については、例えば、特許文献１及び特許文献２に開示されている。
【先行技術文献】
【特許文献】
【０００５】
【特許文献１】特開昭５７−１０９４７７号公報
【特許文献２】特開平８−４６８８９号公報
【発明の概要】
【発明が解決しようとする課題】
【０００６】
しかしながら、従来の表示装置では、ディスプレイ画面の領域が複数画面に分割され、分割画面に各々のコンテンツが表示される。そのため、各ユーザは、画面領域が小さい状態で、各所望コンテンツを見ることになり、表示装置自体の画面領域が大きくなったにも関わらず、同時に複数のユーザが異なるコンテンツを視聴したい場合、各ユーザは画面サイズを犠牲にする必要がある。【０００７】
本発明の目的は、画面サイズの犠牲を抑えつつ、複数のユーザが各所望コンテンツを同時に視聴することができる表示制御装置及び表示制御方法を提供することである。
【課題を解決するための手段】
【０００８】
本発明の表示制御装置は、複数のコンテンツの表示を制御する表示制御装置であって、各コンテンツをそれぞれ表示する複数のコンテンツ画面に対し、各コンテンツ表示画面が他のコンテンツ画面と重ならない占有領域を含むよう、画面領域全体における表示位置と表示サイズを制御し、前記複数のコンテンツ画面の表示データを生成して出力するコンテンツ画面表示手段と、複数の前記占有領域の中から、所定の占有領域に表示された一つのコンテンツ画面をユーザが識別したか否か判定する判定手段と、を備え、前記コンテンツ画面表示手段は、前記判定手段による判定結果に基づいて、前記複数のコンテンツ画面を前記占有領域より大きな領域に重畳して表示するための表示データを生成することを特徴とする。【０００９】
本発明の表示制御方法は、複数のコンテンツの表示を制御する表示制御方法であって、各コンテンツをそれぞれ表示する複数のコンテンツ画面に対し、各コンテンツ表示画面が他のコンテンツ画面と重ならない占有領域を含むよう、画面領域全体における表示位置と表示サイズを制御し、前記複数のコンテンツ画面の表示データを生成して出力する画面表示ステップと、複数の前記占有領域の中から、所定の占有領域に表示された一つのコンテンツ画面をユーザが識別したか否か判定する判定ステップと、を備え、前記画面表示ステップは、前記判定ステップによる判定結果に基づいて、前記複数のコンテンツ画面を前記占有領域より大きな領域に重畳して表示するための表示データを生成することを特徴とする。
【発明の効果】
【００１０】
本発明によれば、画面サイズの犠牲を抑えつつ、複数のユーザが各所望コンテンツを同時に視聴することができる。
【図面の簡単な説明】
【００１１】
【図１】本発明の実施の形態１に係る情報表示システムの全体の概略構成を示す図
【図２】実施の形態１に係るコンテンツ配信サーバの構成を示すブロック図
【図３】実施の形態１に係る表示装置の構成を示すブロック図
【図４】実施の形態１に係るコンテンツ格納部のテーブル構成を示す図
【図５】実施の形態１に係るコンテンツ情報格納部のテーブル構成を示す図
【図６】実施の形態１に係る［表示方法＃１］を示すフローチャート図
【図７】実施の形態１に係る［表示方法＃１］を説明するための図
【図８】［表示方法＃１］における画面縮小方法を示すフローチャート図
【図９】実施の形態１に係る［表示方法＃２］を示すフローチャート図
【図１０】実施の形態１に係る［表示方法＃２］を説明するための図
【図１１】実施の形態１に係る［表示方法＃３］を示すフローチャート図
【図１２Ａ】実施の形態１に係る［表示方法＃３］を説明するための図
【図１２Ｂ】実施の形態１に係る［表示方法＃３］を説明するための図
【図１２Ｃ】実施の形態１に係る［表示方法＃３］を説明するための図
【図１２Ｄ】実施の形態１に係る［表示方法＃３］を説明するための図
【図１３】実施の形態１に係る［表示方法＃３］における表示タイミングを示す図
【図１４】本発明の実施の形態２に係る表示装置の構成を示すブロック図
【図１５】実施の形態２に係るコンテンツ情報格納部のテーブル構成を示す図
【図１６】実施の形態２に係る表示制御ルール格納部のテーブル構成を示す図
【図１７】本発明の実施の形態３に係る表示装置の構成を示すブロック図
【図１８】実施の形態３に係る表示制御部の動作を示すフローチャート図
【図１９】実施の形態３に係る表示制御部の動作を説明するための図
【図２０】実施の形態３に係る［表示方法＃４］を説明するための図
【図２１】実施の形態３に係る［表示方法＃４］を説明するための図
【発明を実施するための形態】
【００１２】
以下、本発明の実施の形態について、図面を参照して詳細に説明する。
【００１３】
（実施の形態１）
図１は、本発明の実施の形態に係る情報表示システムの全体の概略構成を示す図である。
【００１４】
図１の情報表示システムは、表示装置２００において複数のコンテンツを再生し表示するシステムであって、コンテンツの保持、配信を行うコンテンツ配信サーバ１００と、複数のコンテンツを取得し、再生しつつ、複数のコンテンツを重ねて表示する表示装置２００と、これらを相互に接続する伝送路３００と、を含む構成である。
【００１５】
コンテンツ配信サーバ１００は、伝送路３００と接続する機能を有し、コンテンツ及びコンテンツ情報を保持し、表示装置２００にコンテンツ及びコンテンツ情報を送信するサーバ装置、若しくは放送局設備である。ここで、コンテンツ情報とは、ユーザがコンテンツを識別するために用いる識別情報である。コンテンツ情報については、後述する。コンテンツ配信サーバ１００は、ワークステーション等により実現される。
【００１６】
表示装置２００は、伝送路３００と接続する機能を有し、コンテンツ配信サーバ１００からコンテンツ又はコンテンツ情報を取得、保持し、ディスプレイ等の表示部（画面）にコンテンツ又はコンテンツ情報を出力し、コンテンツ再生、及び情報表示を行う装置である。
【００１７】
具体的には、表示装置２００は、デジタル放送を受信するためのＳＴＢ（Set Top Box）、デジタルＴＶ（Television）、ＤＶＤ（Digital Versatile Disc）レコーダ、ＨＤＤ（Hard Disk Drive）レコーダ、ＰＣ（Personal Computer）、ＰＤＡ（Personal Digital Assistance）、携帯電話等のデータ再生装置、記録装置、若しくは、これらの複合機器である。
【００１８】
伝送路３００は、コンテンツ配信サーバ１００と表示装置２００とを、片方向、若しくは双方向に接続するネットワークである。具体的には、伝送路３００は、放送局からの放送信号、イーサネット（登録商標）等の有線ネットワーク、無線ＬＡＮ（Local Area Network）等の無線ネットワーク、若しくは、これらが複合したネットワークで構成される。
【００１９】
次に、コンテンツ配信サーバ１００及び表示装置２００の詳細な構成について説明する。
【００２０】
先ず、コンテンツ配信サーバ１００の詳細な構成について説明する。図２は、コンテンツ配信サーバ１００の詳細な構成を示すブロック図である。
【００２１】
コンテンツ格納部１１１は、ニュース番組、スポーツ番組、音楽番組、映画、演劇、ドラマ、バラエティ、ドキュメンタリー等のコンテンツを格納する。
【００２２】
コンテンツ情報格納部１１２は、コンテンツを識別するための識別情報として、コンテンツ情報を格納する。コンテンツ情報として、本実施の形態では、コンテンツ情報格納部１１２は、コンテンツのタイトルを格納する場合を例に説明する。
【００２３】
通信部１０１は、伝送路３００と接続し、表示装置２００と通信を行う。
【００２４】
コンテンツ取得・送信部１０２は、コンテンツ格納部１１１からコンテンツを取得し、コンテンツ情報格納部１１２からコンテンツ情報を取得し、取得したコンテンツ及びコンテンツ情報を表示装置２００に送信する。
【００２５】
次に、表示装置２００の詳細な構成について説明する。図３は、表示装置２００の詳細な構成を示すブロック図である。
【００２６】
通信部２０１は、伝送路３００と接続し、コンテンツ配信サーバ１００、及び他の端末装置と通信を行う。
【００２７】
コンテンツ受信・取得部２０２は、コンテンツ配信サーバ１００から送信されるコンテンツ又はコンテンツ情報を受信し、取得する。
【００２８】
コンテンツ格納部２１１は、コンテンツ受信・取得部２０２によって受信・取得されたコンテンツを格納する。
【００２９】
コンテンツ情報格納部２１２は、コンテンツ受信・取得部２０２によって受信・取得されたコンテンツ情報を格納する。
【００３０】
表示部２０３は、プラズマディスプレイパネル又は液晶パネル（図示せず）等の表示デバイスであり、コンテンツ画面、又はコンテンツ情報を表示する。
【００３１】
表示制御部２０４は、コンテンツ画面表示部２０４１、識別情報表示部２０４２及び判定部２０４３を含む。
【００３２】
コンテンツ画面表示部２０４１は、ユーザ指示受付部２０５を通じて表示装置２００に入力されたコンテンツ取得要求があった複数のコンテンツのコンテンツ画面の表示位置及び表示サイズを制御する。具体的には、コンテンツ画面表示部２０４１は、各コンテンツをそれぞれ表示する複数のコンテンツ画面に対し、各コンテンツ表示画面が他のコンテンツ画面と重ならない占有領域を含むよう、画面領域全体における表示位置と表示サイズを制御する。ここで、コンテンツ画面表示部２０４１は、後述の判定部２０４３による判定結果に基づいて、複数のコンテンツ画面を占有領域より大きな領域に重畳して表示するための表示データを生成し出力する。コンテンツ画面の表示位置、表示サイズ及び表示形式については、後述する。
【００３３】
識別情報表示部２０４２は、コンテンツ情報の表示位置及び表示形式を制御し、コンテンツ情報を表示部２０３に表示する。コンテンツ情報の表示位置及び表示形式については、後述する。
【００３４】
判定部２０４３は、複数の占有領域の中から、所定の占有領域に表示された一つのコンテンツ画面をユーザが識別したか否か判定する。判定方法は特に限定されず、例えば、判定部２０４３は、タイマーを用いて、表示制御部２０４が各占有領域にコンテンツ画面を表示してから所定の時間だけ経過すると、ユーザが各占有領域に表示されたコンテンツ画面したと判定するとしてもよい。或いは、各ユーザは所望のコンテンツ画面を識別すると、コンテンツ識別完了を示す指示をユーザ指示受付部２０５に入力するようにする。そして、判定部２０４３は、ユーザ指示受付部２０５を通じてコンテンツ識別完了結果が入力されると、ユーザが各占有領域に表示されたコンテンツ画面したと判定するとしてもよい。判定部２０４３は、判定結果をコンテンツ画面表示部２０４１に出力する。
【００３５】
ユーザ指示受付部２０５は、リモコン若しくは表示装置２００への直接操作等によるユーザからの入力を受け付ける。例えば、ユーザ指示受付部２０５は、コンテンツを一意に特定するコンテンツ識別子、コンテンツ取得指示、コンテンツ識別完了結果等の入力を受け付ける。
【００３６】
上記コンテンツ配信サーバ１００、及び表示装置２００を構成する各格納部、及び各処理部において、各格納部は、ＨＤＤ、ＲＡＭ（Random Access Memory）等の記憶媒体で実現され、各処理部はＬＳＩ（Large Scale Integration）等のハードウェア若しくはＣＰＵ（Central Processing Unit）、ＲＡＭ、ＲＯＭ（Read Only Memory）等を利用して実行されるプログラム等によって実現される。なお、表示装置２００において各格納部、各処理部は、ハード的若しくはソフト的に耐タンパされていることが望ましい。
【００３７】
次に、本実施の形態において扱うデータ、及びデータ構造について説明する。
【００３８】
コンテンツ配信サーバ１００のコンテンツ格納部１１１は、コンテンツを管理するデータベースであって、コンテンツ配信スケジュール、若しくは表示装置２００からのコンテンツ取得要求に含まれるコンテンツ識別子に対応したコンテンツを取得するために用いられる。ここで、コンテンツ配信スケジュールとは、コンテンツ配信サーバ１００から配信されるコンテンツのスケジュールである。また、コンテンツ識別子は、情報表示システムにおいてコンテンツを一意に特定するための情報である。
【００３９】
具体的には、コンテンツ格納部１１１は、図４に示すように、コンテンツ識別子Ｄ４０１と、コンテンツ識別子Ｄ４０１に対応するコンテンツＤ４０２とからなるコンテンツ管理テーブルＤ４００を有する。例えば、図４は、コンテンツ識別子Ｄ４０１「ＣＯＮＴＥＮＴ−ＩＤ−０００１」のコンテンツＤ４０２が、「ＣＯＮＴＥＮＴ−ＤＡＴＡ−０００１」であることを示している。なお、コンテンツ格納部１１１へのコンテンツ及びコンテンツ識別子の登録は、コンテンツプロバイダ等によって行われる。
【００４０】
表示装置２００のコンテンツ格納部２１１は、コンテンツを管理するデータベースであって、コンテンツ配信サーバ１００のコンテンツ格納部１１１と同様に、コンテンツ格納部１１１から取得したコンテンツをコンテンツ識別子と対応付けて格納する。
【００４１】
コンテンツ格納部２１１へのデータ登録は、ユーザ指示受付部２０５を通じて表示装置２００にコンテンツ取得要求が入力された場合に、コンテンツ受信・取得部２０２よって行われる。
【００４２】
コンテンツ配信サーバ１００のコンテンツ情報格納部１１２は、コンテンツ情報を管理するデータベースであって、表示装置２００からのコンテンツ取得要求に含まれるコンテンツ識別子に対応したコンテンツ情報を取得するために用いられる。コンテンツ情報は、コンテンツを識別するための識別情報であって、表示部２０３に複数のコンテンツ画面が表示された場合に、各ユーザ自身が所望したコンテンツか否かを識別する際の判断材料に用いられる。
【００４３】
例えば、コンテンツ情報格納部１１２は、図５に示すように、コンテンツ識別子Ｄ５０１と、コンテンツ情報として、コンテンツのタイトルＤ５０２とが対応付けられたコンテンツ情報管理テーブルＤ５００を有する。図５は、コンテンツ識別子Ｄ５０１が「ＣＯＮＴＥＮＴ−ＩＤ−０００１」のコンテンツのタイトルＤ５０２が、「スポーツ＃１」であることを示している。なお、コンテンツ情報格納部１１２へのコンテンツ情報の登録は、コンテンツプロバイダ等によって行われる。
【００４４】
表示装置２００のコンテンツ情報格納部２１２は、コンテンツ情報を管理するデータベースであって、コンテンツ情報格納部１１２と同様に、コンテンツ情報格納部１１２から取得したコンテンツ情報をコンテンツ識別子と対応付けて格納する。
【００４５】
コンテンツ情報格納部２１２へのデータ登録は、ユーザ指示受付部２０５を通じて表示装置２００にコンテンツ取得要求が入力された場合に、コンテンツ受信・取得部２０２よって行われる。
【００４６】
次に、情報表示システムにおいて、表示装置２００が複数のコンテンツを受信し、複数のコンテンツ画面を、画面サイズの犠牲を抑えつつ、各ユーザが視聴可能に表示するまでの各部の処理について、説明する。
【００４７】
（１）コンテンツ受信・取得処理
コンテンツ受信・取得部２０２は、ユーザからの情報入力、及びコンテンツ取得指示により、コンテンツ取得処理を開始する。ユーザは、表示装置２００のアプリケーションに対して、コンテンツ識別子、又は、コンテンツ識別子に準ずる情報を、ユーザ指示受付部２０５を通じて入力する。以下では、ユーザが、コンテンツのタイトルによる検索や、ＥＰＧ（Electronic Program Guide）画面などからコンテンツを選択することで、コンテンツ識別子「ＣＯＮＴＥＮＴ−ＩＤ−０００１」が指定され、コンテンツ受信・取得部２０２が、コンテンツ取得処理を開始した場合を例に説明する。
【００４８】
ユーザ指示受付部２０５がユーザからの入力を受け付けると、コンテンツ受信・取得部２０２は、コンテンツ識別子を含むコンテンツ取得要求メッセージを生成し、通信部２０１を通じて、生成したコンテンツ取得要求メッセージをコンテンツ配信サーバ１００に送信する。
【００４９】
コンテンツ配信サーバ１００が、通信部１０１を通じて、コンテンツ取得要求メッセージを受信する。次に、コンテンツ取得・送信部１０２は、コンテンツ取得要求メッセージから、コンテンツ識別子「ＣＯＮＴＥＮＴ−ＩＤ−０００１」を抽出し、コンテンツ格納部１１１、及びコンテンツ情報格納部１１２から、対応するコンテンツ「ＣＯＮＴＥＮＴ−ＤＡＴＡ−０００１」、及び、コンテンツ情報としてコンテンツのタイトル「スポーツ＃１」を取得する。
【００５０】
そして、コンテンツ取得・送信部１０２は、取得したコンテンツ及びコンテンツのタイトルを含むコンテンツ送信メッセージを生成し、通信部１０１を通じて、生成したコンテンツ送信メッセージを表示装置２００に送信する。
【００５１】
表示装置２００のコンテンツ受信・取得部２０２は、通信部２０１を通じてコンテンツ送信メッセージを受信すると、受信したコンテンツをコンテンツ格納部２１１に格納する。また、コンテンツ受信・取得部２０２は、コンテンツのタイトルを、コンテンツ情報格納部２１２にデータ登録する。
【００５２】
なお、ここでは、コンテンツ取得の例として、コンテンツ配信サーバ１００が、インターネットを通じてオンデマンド配信（個別配信）する場合について説明したが、コンテンツ及びコンテンツ情報の配信方法については、これに限られず、ダウンロード配信、マルチキャスト配信、同報配信等を用いてもよい。なお、同報配信においては、コンテンツの切り替えは、サーバ側が処理を変更するのではなく、端末側が処理を変更する。このため、ユーザが視聴するコンテンツを切り替えた場合、切り替え後のコンテンツ毎に上記処理が行われる。
【００５３】
以上のようにして、コンテンツ受信・取得部２０２は、ユーザからのコンテンツ取得指示により、コンテンツ配信サーバ１００よりコンテンツ及びコンテンツ情報としてコンテンツのタイトルを取得する。なお、コンテンツのタイトルは、ユーザの端末に含まれるコンテンツ情報格納部１１２に、予め記憶しておき、ユーザの要求に応じて、取得する構成も可能である。
【００５４】
（２）表示処理
次に、表示装置２００の表示制御部２０４が、複数のコンテンツ画面を、画面サイズの犠牲を抑えつつ、各ユーザが視聴できるように表示するまでの各部の処理について説明する。
【００５５】
［表示方法＃１］
図６は、本実施の形態に係る［表示方法＃１］を示すフローチャート図である。
【００５６】
コンテンツ画面表示部２０４１は、複数コンテンツの同時表示指示の有無を判断する（ステップＳ６０１）。なお、コンテンツ画面表示部２０４１は、デフォルト設定、又は、ユーザ設定により、複数コンテンツの同時表示指示の有無を判断する。デフォルト設定の例として、例えば、ユーザのリモコン操作等により、ユーザ指示受付部２０５を通じて複数のコンテンツ画面の同時表示指示が入力された場合に、コンテンツ画面表示部２０４１は、複数コンテンツの同時表示指示があったと判断する。具体的には、あるコンテンツ画面を表示中に、ユーザ指示受付部２０５が、別のコンテンツの表示指示、又は、ザッピング指示等を受け付けた場合に、コンテンツ画面表示部２０４１は、複数コンテンツ画面の同時表示指示有りと判断する。
【００５７】
複数コンテンツの同時表示指示有りと判断すると、コンテンツ画面表示部２０４１は、同時表示処理を開始する（ステップＳ６０２）。
【００５８】
以下では、２つのコンテンツの表示指示があった場合を例に、表示処理について図７を用いて説明する。図７は、２つのコンテンツとして、図５に示した、タイトル「スポーツ＃１」のコンテンツ識別子「ＣＯＮＴＥＮＴ−ＩＤ−０００１」と、タイトル「ドキュメンタリー＃１」のコンテンツ識別子「ＣＯＮＴＥＮＴ−ＩＤ−０００４」の同時表示指示を受けた場合の例である。
【００５９】
先ず、コンテンツ画面表示部２０４１は、２つのコンテンツ画面を表示部２０３のフル画面サイズよりも小さい画面サイズに縮小して、２つのコンテンツ画面の一部をずらして表示する（ステップＳ６０３）。図７に示す例では、コンテンツ識別子「ＣＯＮＴＥＮＴ−ＩＤ−０００１」（タイトル「スポーツ＃１」）のコンテンツ画面を表示部２０３の画面領域の左下に揃え、コンテンツ識別子「ＣＯＮＴＥＮＴ−ＩＤ−０００４」（タイトル「ドキュメンタリー＃１」）のコンテンツ画面を表示部２０３の画面領域の右上に揃えた例である。
【００６０】
ここで、図８を用いて、コンテンツ画面表示部２０４１における画面サイズを縮小する動作（ステップＳ６０３）の詳細について説明する。
【００６１】
先ず、コンテンツ画面表示部２０４１は、所定のルールにしたがって、表示部２０３のフル画面の４辺のうち、各コンテンツ画面をどの辺に接するか決定する（ステップＳ６０３１）。例えば、コンテンツ画面表示部２０４１は、表示部２０３に先に表示されたコンテンツ画像を左の辺に接する。或いは、後述の実施の形態２で説明するように、表示部２０３に対するユーザの位置に基づいて、コンテンツ画面表示部２０４１は、各コンテンツ画面が接する辺を決定するようにしてもよい。
【００６２】
なお、コンテンツ画面表示部２０４１は、表示部２０３に同時に表示するコンテンツ画面数に応じて、表示部２０３のフル画面の４辺のうち、各コンテンツ画面が接する辺の数を決定するようにしてもよい。以下に、コンテンツ画面数に応じた辺の数の決定例を示す。
コンテンツ画面数が２の場合      ：隣り合う２辺（右上又は左下を含む２辺）を決定
コンテンツ画面数が３又は４の場合：１辺を決定
コンテンツ画面数が５以上の場合  ：１辺に２以上のコンテンツ画面を割り当てる
【００６３】
次に、コンテンツ画面表示部２０４１は、各コンテンツ画面の縮小幅（倍率）を決定する（ステップＳ６０３２）。縮小幅（倍率）として、コンテンツ画面表示部２０４１は、所定値を用いる、又は、表示すべき識別情報に基づき決定する。
【００６４】
そして、コンテンツ画面表示部２０４１は、Ｓ６０３１で決定したコンテンツ画面が接する辺上の点を固定して、画面サイズを縮小する（ステップＳ６０３３）。
【００６５】
なお、コンテンツ画面表示部２０４１は、表示部２０３に同時に表示するコンテンツ画面数に応じて、例えば、以下のように画面サイズを縮小する。
コンテンツ画面数が２の場合      ：コンテンツ画面が接する辺上の点を固定して、画面サイズを縮小する。
コンテンツ画面数が３又は４の場合：コンテンツ画面が接する辺の中央点を固定して、画面サイズを縮小する。
コンテンツ画面数が５以上の場合  ：２画面が割り当てられた辺の中央点から縮小幅分だけ、左右（又は、上下）に動かした２点を固定して、各画面サイズを縮小する。
【００６６】
このように、表示部２０３の表示画面領域の情報と、同時表示するコンテンツ画面数の情報に基づき、固定点を設定するためのルールを変更してもよい。
【００６７】
図７に示す例は、２つのコンテンツ画面が表示部２０３の画面領域において、重なる領域が出来るだけ少なくなるように、コンテンツ画面表示部２０４１が、複数のコンテンツ画面の位置を制御した例である。重なる領域が出来るだけ少なくなるように、２つのコンテンツ画面を重畳して配置する方法としては、例えば、表示部２０３の表示画面領域が長方形の場合、対角線に含まれる２つの頂点をそれぞれのコンテンツ画面の頂点及び固定点となるように配置すればよい。また、表示部２０３の表示画面領域が大きい場合には、対角線でなく長辺に含まれる２つの頂点をそれぞれのコンテンツ画面の頂点及び固定点となるように配置してもよい。
【００６８】
このようにして、コンテンツ画面表示部２０４１は、複数のコンテンツ画面の位置を制御し、制御したコンテンツ画面位置に、２つのコンテンツ画面を透過表示させる。
【００６９】
識別情報表示部２０４２は、２つのコンテンツ画面が重畳されていない画面領域（占有領域）に、各コンテンツ情報を表示する（ステップＳ６０４）。図７に示す例では、コンテンツ情報として、各コンテンツのタイトルが表示された例である。具体的には、コンテンツ識別子「ＣＯＮＴＥＮＴ−ＩＤ−０００１」に対しては、識別情報表示部２０４２は、表示部２０３の画面の左下の領域に、タイトル「スポーツ＃１」を表示する。表示部２０３の画面の左下の領域は、コンテンツ識別子「ＣＯＮＴＥＮＴ−ＩＤ−０００１」のコンテンツのみが占有して表示される領域である。また、識別情報表示部２０４２は、コンテンツ識別子「ＣＯＮＴＥＮＴ−ＩＤ−０００４」に対しては、表示部２０３の画面の右上の領域に、タイトル「ドキュメンタリー＃１」を表示する。表示部２０３の画面の右上の領域は、コンテンツ識別子「ＣＯＮＴＥＮＴ−ＩＤ−０００４」のコンテンツのみが占有して表示される領域である。
【００７０】
以上のようにして、コンテンツ画面表示部２０４１は、表示部２０３のフル画面サイズより小さい画面サイズに縮小し、複数のコンテンツ画面を、互いに他のコンテンツ画面と重ならない占有領域を複数のコンテンツ画面の各々に持たせながら透過表示する。そして、識別情報表示部２０４２は、他のコンテンツ画面と重ならない占有領域に、コンテンツ情報を表示する。このように、他のコンテンツ画面が重畳表示されていない占有領域に、各コンテンツを識別するためのコンテンツのタイトルが表示されるので、各ユーザは、タイトルが表示された占有領域に表示されるコンテンツを識別することができる。判定部２０４３は、各ユーザからのユーザインストラクション等により、ユーザが各占有領域に表示されたコンテンツ画面を識別したか否か判定し、判定結果をコンテンツ画面表示部２０４１に出力する。
【００７１】
そして、判定部２０４３において、各ユーザの意識が所望のコンテンツ画面に向いたことが確認されると、コンテンツ画面表示部２０４１は、複数のコンテンツ画面を透過表示して、そのコンテンツ画面の大部分を重畳して表示する。このとき、各ユーザは、占有領域の識別情報に意識を向け、そこから画面全体に視野を広げていくことにより、重畳されている画面領域からも、所望のコンテンツを判別して視聴することができる。これにより、各ユーザは、画面サイズの犠牲を抑えつつ、同時に所望のコンテンツを各々視聴することができる。
【００７２】
また、表示装置２００は、コンテンツ画面切り替え時に、上述したような処理を行うことにより、ユーザがチャンネルザッピング等を行う際にも、複数のコンテンツのうち、各ユーザが視聴したいコンテンツを、画面サイズの犠牲を抑えつつ同時に視聴可能に表示することができる。
【００７３】
なお、識別情報表示部２０４２は、コンテンツ情報を、所定の期間だけ表示するようにしてもよい。また、識別情報表示部２０４２は、判定部２０４３において、各ユーザの意識が所望のコンテンツ画面に向いたことが確認された場合に、コンテンツ情報を不表示とするようにしてもよい。
【００７４】
本実施の形態では、識別情報表示部２０４２は、コンテンツ情報を、各ユーザの意識を所望のコンテンツ画面に向けさせるために表示した。したがって、一旦、各ユーザの意識を所望のコンテンツ画面に向けさせることができれば、コンテンツ情報は、コンテンツの視聴には不要となる。
【００７５】
そのため、各ユーザの意識が所望のコンテンツ画面に向いた後、コンテンツ情報を表示しないようにすることにより、占有領域に必要なコンテンツのみが表示されるようになるので、各ユーザは、所望のコンテンツを視聴しやすくなる。
【００７６】
以上のように、コンテンツ画面表示部２０４１は、表示部２０３における複数のコンテンツ画面の表示位置を調整して、互いに他のコンテンツ画面と重ならない占有領域を複数のコンテンツ画面の各々に持たせながら、複数のコンテンツ画面を表示部２０３に透過表示する。これにより、各ユーザの意識を、占有領域に表示されたコンテンツ情報から、視聴したい所望のコンテンツ画面に向けることができ、各ユーザの所望のコンテンツを、画面サイズの犠牲を抑えつつ同時に視聴可能に表示することができる。さらに、識別情報表示部２０４２は、占有領域に、当該占有領域に各コンテンツ画面を識別可能な識別情報を表示することにより、各ユーザが所望のコンテンツに意識を向けさせるまでに要する時間を短縮することができる。
【００７７】
なお、以上の説明では、コンテンツ情報を表示することにより、ユーザの意識を所望コンテンツに向けさせたが、コンテンツ画面縮小時の固定点を強調表示し、ユーザに当該固定点から画面全体に広げる（例えば、右上の固定点から左下に視野を広げる）よう促すことにより、複数のコンテンツ画面から所望のコンテンツ画面を判別させるようにしてもよい。
【００７８】
［表示方法＃２］
図９は、本実施の形態に係る［表示方法＃２］を示すフローチャート図である。
【００７９】
ステップＳ６０１及びＳ６０２と同様に、コンテンツ画面表示部２０４１は、ユーザからの複数コンテンツの同時表示指示により、表示処理を開始する（ステップＳ７０１及びＳ７０２）。
【００８０】
以下では、２つのコンテンツの表示指示があった場合を例に、表示処理について図１０を用いて説明する。図１０は、２つのコンテンツとして、図５に示した、タイトル「スポーツ＃１」のコンテンツ識別子「ＣＯＮＴＥＮＴ−ＩＤ−０００１」と、タイトル「ドキュメンタリー＃１」の「ＣＯＮＴＥＮＴ−ＩＤ−０００４」の同時表示指示を受けた場合の例である。
【００８１】
先ず、コンテンツ画面表示部２０４１は、２つのコンテンツを表示部２０３のフル画面サイズの半分以下の小さい画面サイズに縮小して、表示部２０３に２画面表示する。図１０は、コンテンツ画面表示部２０４１が、コンテンツ識別子「ＣＯＮＴＥＮＴ−ＩＤ−０００１」（タイトル「スポーツ＃１」）のコンテンツを表示部２０３の画面の左側に配置し、コンテンツ識別子「ＣＯＮＴＥＮＴ−ＩＤ−０００４」（タイトル「ドキュメンタリー＃１」）のコンテンツを表示部２０３の画面の右側に配置した例である。
【００８２】
そして、コンテンツ画面表示部２０４１は、２つのコンテンツ画面を透過表示させる。具体的には、図１０に示すように、表示部２０３の画面領域を２つに分割し、各コンテンツ画面が重ならない状態で２画面表示する（ステップＳ７０３）。これにより、各ユーザの意識を所望のコンテンツ画面に向けさせることができる。
【００８３】
そして、判定部２０４３は、各ユーザからのユーザインストラクション等により、ユーザが各占有領域に表示されたコンテンツ画面を識別したか否か判定する（ステップＳ７０４）。
【００８４】
そして、各ユーザの意識が所望のコンテンツ画面に向いた段階で、コンテンツ画面表示部２０４１は、各コンテンツ画面の領域を連続的に徐々に拡大して、コンテンツ画面を重畳して表示する（ステップＳ７０５）。最終的に拡大された画面領域としては、表示部２０３のフル画面サイズとしてもよいし、図７に示したように、表示部２０３の左下隅及び右上隅のみ重畳されてない占有領域を有するようにしてもよい。
【００８５】
このとき、コンテンツ画面表示部２０４１が、各コンテンツ画面の領域を連続的に徐々に拡大することにより、各ユーザの視点は、コンテンツ画面の大きさに従って移動していく。そのため、ステップＳ７０３により、各ユーザの意識が所望のコンテンツ画面に向いていれば、コンテンツ情報を表示しなくても、各ユーザは所望のコンテンツを視聴することができる。
【００８６】
以上のようにして、コンテンツ画面表示部２０４１は、複数のコンテンツ画面を重畳させずに表示部２０３に表示することにより、各ユーザの意識を各コンテンツ画面に向けさせることができる。そして、判定部２０４３が、各ユーザの意識が所望のコンテンツ画面に向いたと判定すると、コンテンツ画面表示部２０４１は、各コンテンツ画面のサイズを徐々に拡大させて、複数のコンテンツ画面を重畳して透過表示する。このように、各ユーザの意識を所望のコンテンツ画面に向けさせてから、複数のコンテンツ画面を重畳して透過表示することにより、各ユーザは、重畳されている画面領域からも、所望のコンテンツを抽出して視聴することができる。これにより、各ユーザは、画面サイズの犠牲を抑えつつ、同時に視聴することができる。
【００８７】
［表示方法＃３］
図１１は、本実施の形態に係る［表示方法＃３］を示すフローチャート図である。
【００８８】
ステップＳ６０１及びＳ６０２と同様に、コンテンツ画面表示部２０４１は、ユーザからの複数コンテンツの同時表示指示により、表示処理を開始する（ステップＳ８０１及びＳ８０２）。
【００８９】
以下では、２つのコンテンツの表示指示があった場合を例に、表示処理について図１２Ａ、図１２Ｂ、図１２Ｃ及び図１２Ｄを用いて説明する。図１２Ａ、１２Ｂ、図１２Ｃ及び図１２Ｄは、２つのコンテンツとして、図５に示した、タイトル「スポーツ＃１」のコンテンツ識別子「ＣＯＮＴＥＮＴ−ＩＤ−０００１」と、タイトル「ドキュメンタリー＃１」の「ＣＯＮＴＥＮＴ−ＩＤ−０００４」の同時表示指示を受けた場合の例である。
【００９０】
先ず、コンテンツ画面表示部２０４１は、２つのコンテンツのうち、ユーザ＃１の所望のコンテンツ識別子「ＣＯＮＴＥＮＴ−ＩＤ−０００１」のコンテンツのコンテンツ画面（以下「コンテンツ画面＃１」という）を、所定の表示タイミング（以下「表示タイミング＃１」という）で、表示部２０３の中央に大画面サイズで表示する（ステップＳ８０３）。なお、図１２Ａに示すように、ユーザ＃１の意識を表示部２０３に向けさせるように、コンテンツ画面の上部に「ユーザ＃１さん、画面に注目してください」と表示し、更に、コンテンツ識別子「ＣＯＮＴＥＮＴ−ＩＤ−０００１」のコンテンツのタイトル「スポーツ＃１」を表示してもよい。
【００９１】
判定部２０４３は、ユーザ＃１からのリモコン操作等により、ユーザ指示受付部２０５を通じて、ユーザ＃１の意識が所望のコンテンツ画面＃１に向いたか否か判定する（ステップＳ８０４）。そして、判定部２０４３が、ユーザ＃１の意識が所望のコンテンツ画面＃１に向いたことを確認すると、コンテンツ画面表示部２０４１は、画面領域を徐々に小さくしながら、コンテンツ画面＃１を表示タイミング＃１で表示する（ステップＳ８０５）。図１２Ｂは、ステップＳ８０５において、コンテンツ画面＃１が、最終的に表示部２０３の隅に小画面サイズで表示された様子を示している。このようにして、一旦、大画面に向けられたユーザ＃１の意識が維持されたまま、ユーザ＃１の意識が表示部２０３の隅の小画面に移動させられる。
【００９２】
次に、コンテンツ画面表示部２０４１は、上記小画面を表示しつつ、ユーザ＃２の所望のコンテンツ識別子「ＣＯＮＴＥＮＴ−ＩＤ−０００４」のコンテンツ画面（以下「コンテンツ画面＃２」という）を、表示タイミング＃１とは異なる所定の表示タイミング（以下「表示タイミング＃２」という）で、表示部２０３の中央に大画面サイズで表示する（ステップＳ８０６）。なお、図１２Ｃに示すように、ユーザ＃２の意識を表示部２０３に向けさせるように、識別情報表示部２０４２は、コンテンツ画面の上部に「ユーザ＃２さん、画面に注目してください」と表示し、更に、コンテンツ識別子「ＣＯＮＴＥＮＴ−ＩＤ−０００４」のコンテンツのタイトル「ドキュメンタリー＃１」を表示してもよい。
【００９３】
判定部２０４３は、ユーザ＃２からのリモコン操作等により、ユーザ指示受付部２０５を通じて、ユーザ＃２の意識が所望のコンテンツ画面＃２に向いたか否か判定する（ステップＳ８０７）。そして、判定部２０４３が、ユーザ＃２の意識が所望のコンテンツ画面＃２に向いたことを確認すると、コンテンツ画面表示部２０４１は、コンテンツ画面＃２を表示タイミング＃２で表示させつつ、先にユーザ＃１に意識を向けさせたコンテンツ画面＃１を表示タイミング＃１で表示させながら、コンテンツ画面＃１の画面領域を徐々に右上方向に拡大する（ステップＳ８０８）。図１２Ｂの左下隅の小画面から右上に徐々に拡大させていくことにより、ユーザ＃１の視線の移動距離を最小限に抑えることができる。
【００９４】
コンテンツ画面表示部２０４１は、コンテンツ画面＃１の画面領域を拡大した後、コンテンツ画面＃１及びコンテンツ画面＃２を通常画面の大きさで重ねて表示する（ステップＳ８０９）。拡大後の表示部２０３の状態を、図１２Ｄに示す。
【００９５】
ここで、表示タイミング＃１と表示タイミング＃２との関係について説明する。図１３は、表示タイミング＃１と表示タイミング＃２との関係を示す図である。ステップＳ８０３では、図１３に示される表示タイミング＃１（フレームタイミング群＃１）で、コンテンツ画面表示部２０４１は、コンテンツ画面＃１を表示部２０３の中央部の大画面領域に表示する（図１２Ａ参照）。なお、表示タイミング＃１以外のタイミングでは、コンテンツ画面表示部２０４１は、表示部２０３に何も表示しない。
【００９６】
ユーザインターラクションにより、判定部２０４３においてユーザ＃１の意識がコンテンツ画面＃１に向けられたことが確認されると、図１３に示される表示タイミング＃１（フレームタイミング群＃１）で、コンテンツ画面表示部２０４１は、コンテンツ画面＃１を表示部２０３の中央部の大画面領域から、徐々に表示領域を小さくしながら、表示部２０３の左下の隅の小さい画面領域に表示する（図１２Ｂ参照）。
【００９７】
ステップＳ８０６では、図１３に示される表示タイミング＃２（フレームタイミング群＃２）で、コンテンツ画面表示部２０４１は、コンテンツ画面＃２を表示部２０３に表示する（図１２Ｃ参照）。なお、表示タイミング＃１のタイミングでは、コンテンツ画面表示部２０４１は、コンテンツ画面＃１を表示部２０３の左下の隅の小さい画面領域に表示し続ける（図１２Ｂ参照）。
【００９８】
このとき、表示タイミング＃１及び表示タイミング＃２のレートは、人間が認識可能なフレームレートの数倍に設定し、各ユーザの所望コンテンツ毎に異なるフレームタイミング群を用いて表示する。この結果、各ユーザの意識を一旦所望のコンテンツ画面に向けさせることができると、表示タイミング＃１で表示されるコンテンツ画面＃１に意識が向いたユーザは、表示タイミング＃２で所望でないコンテンツ画面＃２が表示されても、所望のコンテンツ画面＃１のみを認識するようになる。このように、各ユーザが所望のコンテンツ画面に意識を向いた後も、各コンテンツ画面の表示タイミングを制御することにより、図１２Ｄに示すように、画面サイズの犠牲を抑えつつ、表示部２０３上で、複数のコンテンツを同時に視聴することができる。
【００９９】
以上のようにして、コンテンツ画面表示部２０４１は、複数のコンテンツ画面のうち、コンテンツ画面＃１を表示タイミング＃１で表示部２０３に表示する。そして、判定部２０４３において、コンテンツ画面＃１を所望するユーザの意識がコンテンツ画面＃１に向いたことが確認されると、コンテンツ画面表示部２０４１は、コンテンツ画面＃２を表示タイミング＃２で表示部２０３に表示する。表示タイミング＃１及び表示タイミング＃２のレートを、人間が認識可能なフレームレートの数倍に設定し、各ユーザの所望コンテンツ毎に異なるタイミング群を用いて表示することにより（フレームレート方法）、各ユーザは、一旦所望のコンテンツ画面に意識が向くと、表示部２０３に、コンテンツ画面＃１とコンテンツ画面＃２とが交互に大画面で表示されていても、所望のコンテンツ画面のみを認識することになる。これにより、画面サイズの犠牲を抑えつつ、表示部２０３上で、複数のコンテンツを同時に視聴することができる。
【０１００】
なお、以上の説明では、表示制御部２０４が、複数のコンテンツ画面を、画面サイズの犠牲を抑えつつ、各ユーザが視聴できるように表示するまでの各部の処理について、（２）表示処理として一括して説明した。なお、（２）表示処理を、（２−１）複数画面表示方法と、（２−２）所望のコンテンツ画面にユーザの意識を向けさせる方法とに分け、（２−１）において、透過表示方法又はフレームレート方法を用い、（２−２）において、上記［表示方法＃１］〜［表示方法＃３］を用いるとしてもよい。この場合、（２−１）の方法と、（２−２）の方法とのいずれの組み合わせを用いるようにしてもよい。
【０１０１】
（実施の形態２）
図１４に本実施の形態に係る表示装置の要部構成を示す。なお、図１４の本実施の形態に係る表示装置において、図１と共通する構成部分には、図１と同一の符号を付して説明を省略する。図１４の表示装置２００Ａは、図１の表示装置２００に対して、表示制御ルール格納部２１３を追加した構成を採る。
【０１０２】
なお、本実施の形態では、コンテンツ情報格納部２１２は、コンテンツ情報として、コンテンツの「タイトル」に加えて、更に、「出演者」、「コンテンツ分類」、「明度」、「文字表示箇所」、「文字情報サイズ」に関する情報を含むコンテンツ情報管理テーブルＤ５００を有する。
【０１０３】
図１５に、本実施の形態におけるコンテンツ情報管理テーブルＤ５００の一例を示す。図１５に示す例では、コンテンツ情報管理テーブルＤ５００は、コンテンツ識別子Ｄ５０１と、識別情報と、コンテンツの特徴を示す情報（コンテンツ特徴情報）とが対応付けられている例である。図１５に示す例では、識別情報として、「タイトル」、「出演者」、「コンテンツ分類」がコンテンツ識別子に対応付けられており、コンテンツ特徴情報として、「明度」、「文字表示箇所」、「文字情報サイズ」が対応付けられている。「コンテンツ分類」とは、例えば、コンテンツのジャンル、属性等を示す。
【０１０４】
図１５において、例えば、コンテンツ識別子Ｄ６０１が「ＣＯＮＴＥＮＴ−ＩＤ−０００１」の場合、識別情報として、タイトルが「タイトル＃１」であり、出演者が「Ａ、Ｂ、Ｃ」であり、コンテンツ分類が「映画」であることを示し、コンテンツの特徴として、明度（平均／最大／最小［％］）が「５０／８０／１０」であり、文字表示箇所（最大／最小［ポイント］）が「下、右端」であり、文字情報サイズが「５０／１０」であることを示している。
【０１０５】
表示制御ルール格納部２１３は、表示制御ルールを管理するデータベースであって、コンテンツ情報管理テーブルＤ５００に含まれるコンテンツ特徴情報に応じて、複数コンテンツの同時表示を制御する表示制御ルールを設定するために用いられる。
【０１０６】
具体的には、表示制御ルール格納部２１３は、図１６に示すように、ルール識別子と、制御ルールと、優先順位と、が対応付けられた表示制御ルール管理テーブルＤ７００を有する。なお、図１６において、表示制御ルール管理テーブルＤ７００は、制御ルールとして、判断パラメータ、判断条件、及び、制御内容を含み、優先順位として、事業者設定及びユーザ設定を含んだ例である。
【０１０７】
例えば、ルール識別子「ＲＵＬＥ−ＩＤ−０００１」では、「明度」を判断パラメータに用い、「平均明度の差＞３０」の場合、「明度の差を補正」する。これにより、暗いコンテンツ画面は輝度を上げて明るく表示され、明るいコンテンツ画面は輝度を下げて暗く表示されるので、同時に表示される複数のコンテンツ画面の明度が極端に異なるのを回避することができる。この結果、所望でないコンテンツ画面が明るすぎて、所望コンテンツの視聴の邪魔になるのを防止することができる。
【０１０８】
なお、「平均明度の差＞３０」を満たさない場合においても、明るい画面を前面に表示し、暗い画面を背面に表示するようにしてもよい。これにより、各コンテンツ画面を透過表示した場合に、各ユーザは所望のコンテンツを見やすくすることができる。
【０１０９】
また、明度だけでなく、色相、彩度等、又は、これらパラメータを組み合わせて、輝度を変更するようにしてもよい。
【０１１０】
また、ルール識別子「ＲＵＬＥ−ＩＤ−０００２」では、「明度」を判断パラメータに用い、「２画面間の最大明度と最小明度の差＞６０」の場合、「透過表示以外の方法で表示」する。ここで、透過表示以外の方法として、実施の形態１の［表示方法＃３］で説明したフレームレート表示方法、実施の形態１の［表示方法＃２］において図１０で説明した２画面表示方法、又は、一方のコンテンツのみを小さい画面領域に表示する子画面表示方法等を用いる。一般に、暗いコンテンツ画面と明るいコンテンツ画面とを透過表示方法を用いて重畳して表示すると、各ユーザは所望のコンテンツ画面に意識を向け続けることが困難となる。そこで、明度の差が大きい場合には、透過表示方法を用いず、他の方法を優先的に用いることにより、ユーザが所望のコンテンツを見やすくすることができる。
【０１１１】
また、ルール識別子「ＲＵＬＥ−ＩＤ−０００３」では、コンテンツに文字が含まれる場合に、「文字表示箇所」を判断パラメータに用い、「文字表示箇所が異なる」場合、「文字表示箇所が占有領域になるように表示」する。ここで、占有領域とは、他のコンテンツ画面と重畳して表示されない領域であり、占有領域に文字表示が表示されるようにすることにより、複数のコンテンツの文字表示が重畳されて見づらくなるのを回避することができる。
【０１１２】
また、ルール識別子「ＲＵＬＥ−ＩＤ−０００４」では、コンテンツに文字が含まれる場合に、「文字情報サイズ」を判断パラメータに用い、「文字情報の最大サイズ＜３０」の場合、「当該画面サイズを大きくする」。文字サイズが小さく細かい文字が含まれる場合、コンテンツを表示する画面のサイズを大きく確保するほど、文字も大きく表示されるようになるので、ユーザにとって視聴しやすくなる。
【０１１３】
また、ルール識別子「ＲＵＬＥ−ＩＤ−０００５」では、リモコン入力を受け付ける場合を想定し、「ユーザ位置」を判断パラメータに用いる。ユーザ指示受付部２０５は、リモコンからの操作入力信号の到来方向から検知することにより、「ユーザ位置」を取得し、「直前のコンテンツ選択指示をリモコン操作したユーザの位置側に当該コンテンツを表示する」。コンテンツ選択指示としては、例えば、ザッピング指示等がある。これにより、左側に位置するユーザの所望のコンテンツ画面が表示部２０３の左側に表示され、右側に位置するユーザの所望のコンテンツ画面が表示部２０３の右側に表示されるので、各ユーザは自然な姿勢で各コンテンツを視聴することができる。
【０１１４】
また、ルール識別子「ＲＵＬＥ−ＩＤ−０００６」では、コンテンツの「タイトル」を判断パラメータに用い、コンテンツのタイトルが「１０文字以上」の場合、タイトルを「縦書き」で表示する。上述したように、タイトルは、各ユーザ自身が所望したコンテンツか否かを識別する際の判断材料に用いられる。
【０１１５】
したがって、タイトルは、出来るだけコンテンツ画面と一体化して、かつ、タイトル同士が出来るだけ離れて表示されるのが望ましい。ところで、表示部２０３の画面領域は、通常、縦に比べ横が長い。そのため、タイトルは、表示部２０３の画面領域の左右に離れて配置されるのが望ましい。
【０１１６】
しかし、タイトルの文字数が長い場合にタイトルを横書きで表示すると、画面領域の中央を超えて表示されてしまい、どちらのコンテンツ画面に対応するものか一目で判断しにくくなってしまう場合がある。そこで、タイトルの文字数が長い場合には、縦書きで表示することにより、複数のタイトルを表示部２０３の画面領域の左右に離れて配置することができるため、各ユーザは、タイトルに基づいて所望のコンテンツ画面を認識しやすくなる。
【０１１７】
また、ルール識別子「ＲＵＬＥ−ＩＤ−０００７」では、出演者が「２人以上」の場合、全出演者をコンテンツ情報として表示するのでなく、出演者を一人ずつ順次表示する。これにより、コンテンツ情報の表示領域を小さく抑えることができ、所望のコンテンツの視聴の邪魔にならないようにすることができる。
【０１１８】
このように、表示制御ルール格納部２１３は、表示制御ルールを管理する。なお、表示制御ルール格納部２１３へのデータ登録又は更新は、表示装置２００の出荷時に予め登録する、若しくは通信部２０１を通じて事業者機器や他端末等から受信することにより行われる。表示制御ルールの登録又は更新は、通信部２０１を通じて行うことができるので、事業者、端末メーカー等による柔軟な表示制御が可能となる。
【０１１９】
なお、図１６に示すように、事業者により、ルール識別子毎に優先度を設定し、各条件が競合した場合には、優先順位に従って制御すればよい。
【０１２０】
また、以上の説明では、事業者側の視点で表示制御ルールを設定するとして説明したが、ユーザ側の視点でユーザ自身が見やすいように設定するとしてもよい。この場合、事業者がユーザに設定を許可する項目と許可しない項目とを設けるようにしてもよい。また、各ユーザにより設定された表示制御ルールの優先度は、事業者により設定された優先度よりも高いとしてもよい。
【０１２１】
（実施の形態３）
図１７に本実施の形態に係る表示装置の要部構成を示す。なお、図１７の本実施の形態に係る表示装置において、図３と共通する構成部分には、図３と同一の符号を付して説明を省略する。図１７の表示装置２００Ｂは、図３の表示装置２００に対して、表示制御部２０４に代えて、表示制御部２０４Ｂを有する。
【０１２２】
表示制御部２０４Ｂは、コンテンツ画面表示部２０４１Ｂ、識別情報表示部２０４２Ｂ及び判定部２０４３を含む。
【０１２３】
コンテンツ画面表示部２０４１Ｂは、コンテンツ画面表示部２０４１と同様に、ユーザ指示受付部２０５を通じて表示装置２００に入力されたコンテンツ取得要求があった複数のコンテンツのコンテンツ画面の表示位置及び表示サイズを制御する。具体的には、具体的には、コンテンツ画面表示部２０４１Ｂは、各コンテンツをそれぞれ表示する複数のコンテンツ画面に対し、各コンテンツ表示画面が他のコンテンツ画面と重ならない占有領域を含むよう、画面領域全体における表示位置と表示サイズを制御する。また、コンテンツ画面表示部２０４１Ｂは、後述の判定部２０４３による判定結果に基づいて、複数のコンテンツ画面を占有領域より大きな領域に重畳して表示するための表示データを生成し出力する。コンテンツ画面の表示位置及び表示形式については、後述する。
【０１２４】
識別情報表示部２０４２Ｂは、占有領域に、各コンテンツ画面を識別可能な識別情報を付加する。これにより、占有領域に各ユーザの意識を誘導させて、ユーザが所望コンテンツを識別するまでに要する時間を短縮することができる。例えば、識別情報表示部２０４２Ｂは、識別情報表示部２０４２と同様に、コンテンツ情報の表示位置及び表示形式を制御し、コンテンツ情報を占有領域に表示する。識別情報表示部２０４２Ｂにおける識別情報の表示方法については、後述する。
【０１２５】
次に、表示制御部２０４Ｂの動作について図１８を用いて説明する。図１８は、表示制御部２０４Ｂにおける表示方法を示すフローチャート図である。
【０１２６】
コンテンツ画面表示部２０４１Ｂは、複数コンテンツの同時表示指示の有無を判断する（ステップＳ９０１）。なお、コンテンツ画面表示部２０４１Ｂは、デフォルト設定、又は、ユーザ設定により、複数コンテンツの同時表示指示の有無を判断する。デフォルト設定の例として、例えば、ユーザのリモコン操作等により、ユーザ指示受付部２０５を通じて複数のコンテンツ画面の同時表示指示が入力された場合に、コンテンツ画面表示部２０４１Ｂは、複数コンテンツの同時表示指示があったと判断する。具体的には、あるコンテンツ画面を表示中に、ユーザ指示受付部２０５が、別のコンテンツの表示指示、又は、ザッピング指示等を受け付けた場合に、コンテンツ画面表示部２０４１Ｂは、複数コンテンツ画面の同時表示指示有りと判断する。
【０１２７】
複数コンテンツの同時表示指示有りと判断すると、コンテンツ画面表示部２０４１Ｂは、同時表示処理を開始する（ステップＳ９０２）。
【０１２８】
先ず、コンテンツ画面表示部２０４１Ｂは、各コンテンツをそれぞれ表示する複数のコンテンツ画面に対し、各コンテンツ表示画面が他のコンテンツ画面と重ならない占有領域を含むよう、画面領域全体における表示位置と表示サイズを制御し、表示する（ステップＳ９０３）。
【０１２９】
各占有領域の設定方法としては、例えば、実施の形態１で説明した［表示方法＃１］〜［表示方法＃３］を用いることができる。
【０１３０】
例えば、［表示方法＃１］では、図７に示したように、タイトル「スポーツ＃１」のコンテンツ識別子「ＣＯＮＴＥＮＴ−ＩＤ−０００１」は、画面の左端及び下部に占有領域が設けられている。また、タイトル「ドキュメンタリー＃１」のコンテンツ識別子「ＣＯＮＴＥＮＴ−ＩＤ−０００４」は、画面の右端及び上部に占有領域が設けられている。
【０１３１】
また、［表示方法＃２］では、コンテンツ識別子「ＣＯＮＴＥＮＴ−ＩＤ−０００１」（タイトル「スポーツ＃１」）のコンテンツは、表示部２０３の画面の左側に占有領域が設けられている。また、コンテンツ識別子「ＣＯＮＴＥＮＴ−ＩＤ−０００４」（タイトル「ドキュメンタリー＃１」）のコンテンツは、表示部２０３の画面の右側に占有領域が設けられている。
【０１３２】
また、［表示方法＃３］では、各コンテンツに対し占有領域がフレームタイミング群ごとに設けられている。すなわち、［表示方法＃３］では、時間軸上で互いに他のコンテンツ画面と重ならない占有領域が用いられる。
【０１３３】
このようにして、コンテンツ画面表示部２０４１Ｂは、表示部２０３の画面領域のうち、互いに他のコンテンツ画面と重ならない占有領域を含むよう、画面領域全体における表示位置と表示サイズを制御する。これにより、各ユーザは、占有領域を注目して見ることにより所望のコンテンツを識別することができる。
【０１３４】
識別情報表示部２０４２Ｂは、占有領域に、各コンテンツ画面を識別可能な識別情報を付加する（ステップＳ９０４）。これにより、各ユーザの意識を占有領域に誘導させる。
【０１３５】
識別情報を付加する方法としては、識別情報表示部２０４２と同様に、識別情報表示部２０４２Ｂは、占有領域にコンテンツ情報を表示するようにしてもよい。また、識別情報表示部２０４２Ｂは、各占有領域に異なる色を付ける、或いは、各占有領域の枠を点滅させるようにしてもよい。また、識別情報表示部２０４２Ｂは、表示部２０３の両側に設置されたステレオ（図１７において図示省略）を形成するスピーカのうち、各コンテンツ画面が表示される占有領域に近い側のスピーカから当該コンテンツ画面の映像に連動した音声等を再生するようにしてもよい。
【０１３６】
このようにして、識別情報表示部２０４２Ｂは、コンテンツ情報、占有領域の枠の色、占有領域の枠の点滅、或いは、占有領域に表示されるコンテンツ画面の映像に連動した音声等を識別情報として、占有領域に付加する。これにより、占有領域に各ユーザの意識が誘導されて、各ユーザが各コンテンツ画面を認識するまでに要する時間を短縮することができる。ただし、占有領域に、コンテンツ画面の識別が容易となる情報（例えば、番組タイトル等）が含まれている場合には、必ずしも、識別情報表示部２０４２Ｂは、識別情報を付加する必要はなく、ステップＳ９０４を省いてもよい。
【０１３７】
判定部２０４３は、例えば、ユーザ指示受付部２０５を用いたユーザインターラクションにより、ユーザが所望のコンテンツ画面を識別したか否か判定する（ステップＳ９０５）。
【０１３８】
ユーザが所望のコンテンツ画面を識別した場合、コンテンツ画面表示部２０４１Ｂは、複数のコンテンツ画面を重畳表示する（ステップＳ９０６）。重畳表示の方法としては、例えば、実施の形態１で説明した透過表示方法又はフレームレート方法を用いることができる。なお、識別情報表示部２０４２Ｂは、所定の占有領域に表示された一つのコンテンツ画面をユーザが識別した場合、識別情報表示部２０４２Ｂは、ユーザに対し視野拡大のサポートを行う。具体的には、識別情報表示部２０４２Ｂは、表示部２０３に視野拡大を促すメッセージを表示する。また、識別情報表示部２０４２Ｂは、各占有領域の枠を大きな領域まで徐々に拡大するようにしてもよい。さらに、識別情報表示部２０４２Ｂは、例えば、図１９Ａ、図１９Ｂ及び図１９Ｃに示すように、図１９Ａ、図１９Ｂ、図１９Ｃの順に、占有領域の枠を薄くしながら表示領域を拡大し、最終的に表示領域が最大となったタイミングで占有領域の枠を消すようにしてもよい。これらにより、占有領域と各コンテンツ画面領域とが等しい場合に、各ユーザは、視野を占有領域から大きな領域にスムーズに視野を拡大することができる。
【０１３９】
以上のように、本実施の形態では、コンテンツ画面表示部２０４１Ｂは、各コンテンツをそれぞれ表示する複数のコンテンツ画面に対し、各コンテンツ表示画面が他のコンテンツ画面と重ならない占有領域を含むよう、画面領域全体における表示位置と表示サイズを制御する。ここで、コンテンツ画面表示部２０４１Ｂは、後述の判定部２０４３による判定結果に基づいて、複数のコンテンツ画面を占有領域より大きな領域に重畳して表示するための表示データを生成し出力する。これにより、画面サイズの犠牲を抑えつつ、各所望コンテンツを複数のユーザが同時に視聴することができる。
【０１４０】
なお、占有領域の設定方法としては、［表示方法＃１］〜［表示方法＃３］以外の方法を用いてもよい。以下、他の表示方法として、［表示方法＃４］を説明する。
【０１４１】
［表示方法＃４］
以下では、２つのコンテンツの表示指示があった場合を例に、表示処理について図２０を用いて説明する。図２０は、２つのコンテンツ画面＃１，＃２の同時表示指示を受けた場合の例である。
【０１４２】
コンテンツ画面表示部２０４１Ｂは、表示部２０３の特定領域を、各コンテンツを表示する占有領域として設定する。図２０に示す例では、コンテンツ画面表示部２０４１Ｂは、表示部２０３の画面の中央から右に約１／３の位置にコンテンツ画面＃１の占有領域を確保し、当該占有領域にコンテンツ画面＃１を表示する。また、コンテンツ画面表示部２０４１Ｂは、画面の中央から左に約１／３の位置にコンテンツ画面＃２の占有領域を確保し、当該占有領域にコンテンツ画面＃２を表示する。
【０１４３】
なお、コンテンツ画面表示部２０４１Ｂは、上記占有領域の位置及び大きさを、「コンテンツ分類」に基づいて、設定するようにしてもよい。ここで、「コンテンツ分類」とは、上述したように、例えば、コンテンツのジャンル、属性等を示す。
【０１４４】
具体的には、コンテンツ画面表示部２０４１Ｂは、「コンテンツ分類」に基づいて、ユーザがコンテンツ画面をより識別しやすい領域を占有領域として設定してもよい。例えば、コンテンツ分類が野球等のスポーツの場合、コンテンツ画面表示部２０４１Ｂは、野球の得点が表示される領域を占有領域として設定し、当該占有領域に野球の得点を表示するようにしてもよい。また、例えば、コンテンツ分類が司会者進行型のバラエティの場合、コンテンツ画面表示部２０４１Ｂは、司会者が通常表示される領域を占有領域として設定し、当該占有領域に司会者を表示するようにしてもよい。或いは、コンテンツ画面表示部２０４１Ｂは、コンテンツ画面に対して画像認識を行って、司会者が表示されている領域を占有領域として設定し、当該占有領域に司会者を表示するようにしてもよい。或いは、コンテンツ配信サーバ１００が「コンテンツ分類」に基づいてコンテンツ画面の特徴が最もよく映し出される領域を予め占有領域として指定し、当該占有領域の情報をメタデータとして、コンテンツ画面とともに配信するようにしてもよい。
【０１４５】
また、コンテンツ画面表示部２０４１Ｂは、文字表示領域或いは動きが少ない領域を占有領域に設定するようにしてもよい。文字表示領域の例としては、番組タイトル、ニュース又は映画等の字幕表示領域等がある。コンテンツ画面表示部２０４１Ｂが、文字表示領域或いは動きが少ない領域を占有領域として、当該占有領域に各コンテンツ画面を表示することにより、ユーザを占有領域に意識を向けやすくなる。
【０１４６】
また、コンテンツ画面表示部２０４１Ｂは、上記占有領域の位置及び大きさを、重畳表示される各コンテンツ画面の特徴に基づいて、設定するようにしてもよい。例えば、空、或いは海のように色の変化が少ない領域は、その一部が表示されなくても、コンテンツ画面の認識率の向上に与える影響が少ないと考えられる。そこで、コンテンツ画面表示部２０４１Ｂは、コンテンツ画面の色相に基づいて、第１コンテンツ画面において色の変化が少ない領域に、第２コンテンツ画面の占有領域を設けるようにしてもよい。
【０１４７】
また、明度が非常に低い領域、反対に、明度が非常に高い領域に、他のコンテンツ画面と重畳すると見づらくなると考えられる。そこで、コンテンツ画面表示部２０４１Ｂは、コンテンツ画面の明度に基づいて、第１コンテンツ画面において明度が非常に低い又は高い領域に、第２コンテンツ画面の占有領域を設けるようにしてもよい。明度が非常に低い例としては、暗闇で撮影された映像であったり、明度が非常に高い例としては、ライトを照射して撮影された映像である。
【０１４８】
なお、［表示方法＃４］で説明したように、占有領域とコンテンツ画面領域とが異なる場合に、識別情報表示部２０４２Ｂは、以下のようにして、ユーザに対し視野拡大のサポートを行ってもよい。例えば、識別情報表示部２０４２Ｂは、図２１に示すように、図２１Ａ、図２１Ｂ、図２１Ｃ、図２１Ｄの順に、コンテンツ画面自体のサイズは変化させずに、占有領域の枠のみを拡大させるようにしてもよい。これにより、占有領域とコンテンツ画面領域とが異なる場合においても、各ユーザは、視野を占有領域からコンテンツ画面が既に表示されている大きな領域にスムーズに視野を拡大することができる。
【０１４９】
また、識別情報表示部２０４２Ｂは、占有領域の枠の拡大にともない、当該枠を徐々に薄くしてもよい。また、識別情報表示部２０４２Ｂは、占有領域の枠のみを拡大し、当該枠の拡大にともない、占有領域を縮小するようにし、当該枠が最大になったタイミングで占有領域がなくなり、コンテンツ画面の全体が重畳されるようにしてもよい。これらにより、各ユーザは、視野を占有領域から大きな領域にスムーズに視野を拡大することができる。
【０１５０】
２００９年８月１０日出願の特願２００９−１８５８４０に含まれる明細書、図面及び要約書の開示内容は、すべて本願に援用される。
【産業上の利用可能性】
【０１５１】
本発明は、ＤＶＤ等のパッケージメディアによるコンテンツ配信サービス受信端末、デジタル放送、ＣＡＴＶ（Common Antenna TeleVision）、インターネット等によるコンテンツ表示端末等として有用である。
【符号の説明】
【０１５２】
１００  コンテンツ配信サーバ
１０１、２０１  通信部
１０２  コンテンツ取得・送信部
１１１  コンテンツ格納部
１１２  コンテンツ情報格納部
２００，２００Ａ，２００Ｂ  表示装置
２０２  コンテンツ受信・取得部
２０３  表示部
２０４，２０４Ｂ  表示制御部
２０４１，２０４１Ｂ  コンテンツ画面表示部
２０４２，２０４２Ｂ  識別情報表示部
２０４３  判定部
２０５  ユーザ指示受付部
２１１  コンテンツ格納部
２１２  コンテンツ情報格納部
２１３  表示制御ルール格納部
３００  伝送路
【図１】
2011018888.tif 000003
【図２】
2011018888.tif 000004
【図３】
2011018888.tif 000005
【図４】
2011018888.tif 000006
【図５】
2011018888.tif 000007
【図６】
2011018888.tif 000008
【図７】
2011018888.tif 000009
【図８】
2011018888.tif 000010
【図９】
2011018888.tif 000011
【図１０】
2011018888.tif 000012
【図１１】
2011018888.tif 000013
【図１２Ａ】
2011018888.tif 000014
【図１２Ｂ】
2011018888.tif 000015
【図１２Ｃ】
2011018888.tif 000016
【図１２Ｄ】
2011018888.tif 000017
【図１３】
2011018888.tif 000018
【図１４】
2011018888.tif 000019
【図１５】
2011018888.tif 000020
【図１６】
2011018888.tif 000021
【図１７】
2011018888.tif 000022
【図１８】
2011018888.tif 000023
【図１９】
2011018888.tif 000024
【図２０】
2011018888.tif 000025
【図２１】
2011018888.tif 000026
【手続補正書】
【提出日】平成22年11月15日(2010.11.15)
【手続補正１】
【補正対象書類名】明細書
【補正対象項目名】全文
【補正方法】変更
【補正の内容】
【発明の詳細な説明】
【技術分野】
【０００１】
本発明は、複数のコンテンツ画面を表示する表示制御装置及び表示制御方法に関する。
【背景技術】
【０００２】
近年、音楽、映像、ゲーム等のデジタル著作物であるコンテンツを、デジタル放送或いはインターネット等で配信するシステムが開発され、実用化の段階を迎えている。
【０００３】
また、近年、従来のＣＲＴ（Cathode Ray Tube）ディスプレイから地上波デジタル放送に対応したＰＤＰ（Plasma Display Panel）、液晶などの薄型大画面テレビへ急速な置き換えが進んでいる。家庭用テレビの大画面化に伴って、テレビ視聴環境が変化し、今後、複数のユーザが１つのディスプレイを共有しつつ、各々のユーザが、音楽、映像、ゲーム等の異なるコンテンツを視聴したいという要求が高まると予想される。
【０００４】
１つのディスプレイに複数のコンテンツ画面を表示する表示装置については、例えば、特許文献１及び特許文献２に開示されている。
【先行技術文献】
【特許文献】
【０００５】
【特許文献１】特開昭５７−１０９４７７号公報
【特許文献２】特開平８−４６８８９号公報
【発明の概要】
【発明が解決しようとする課題】
【０００６】
しかしながら、従来の表示装置では、ディスプレイ画面の領域が複数画面に分割され、分割画面に各々のコンテンツが表示される。そのため、各ユーザは、画面領域が小さい状態で、各所望コンテンツを見ることになり、表示装置自体の画面領域が大きくなったにも関わらず、同時に複数のユーザが異なるコンテンツを視聴したい場合、各ユーザは画面サイズを犠牲にする必要がある。
【０００７】
本発明の目的は、画面サイズの犠牲を抑えつつ、複数のユーザが各所望コンテンツを同時に視聴することができる表示制御装置及び表示制御方法を提供することである。
【課題を解決するための手段】
【０００８】
本発明の表示制御装置は、複数のコンテンツの表示を制御する表示制御装置であって、各コンテンツをそれぞれ表示する複数のコンテンツ画面に対し、各コンテンツ表示画面が他のコンテンツ画面と重ならない占有領域を含むよう、画面領域全体における表示位置と表示サイズを制御し、前記複数のコンテンツ画面の表示データを生成して出力するコンテンツ画面表示手段と、複数の前記占有領域の中から、所定の占有領域に表示された一つのコンテンツ画面をユーザが識別したか否か判定する判定手段と、を備え、前記コンテンツ画面表示手段は、前記判定手段による判定結果に基づいて、前記複数のコンテンツ画面を前記占有領域より大きな領域に重畳して表示するための表示データを生成することを特徴とする。
【０００９】
本発明の表示制御方法は、複数のコンテンツの表示を制御する表示制御方法であって、各コンテンツをそれぞれ表示する複数のコンテンツ画面に対し、各コンテンツ表示画面が他のコンテンツ画面と重ならない占有領域を含むよう、画面領域全体における表示位置と表示サイズを制御し、前記複数のコンテンツ画面の表示データを生成して出力する画面表
示ステップと、複数の前記占有領域の中から、所定の占有領域に表示された一つのコンテンツ画面をユーザが識別したか否か判定する判定ステップと、を備え、前記画面表示ステップは、前記判定ステップによる判定結果に基づいて、前記複数のコンテンツ画面を前記占有領域より大きな領域に重畳して表示するための表示データを生成することを特徴とする。
【発明の効果】
【００１０】
本発明によれば、画面サイズの犠牲を抑えつつ、複数のユーザが各所望コンテンツを同時に視聴することができる。
【図面の簡単な説明】
【００１１】
【図１】本発明の実施の形態１に係る情報表示システムの全体の概略構成を示す図
【図２】実施の形態１に係るコンテンツ配信サーバの構成を示すブロック図
【図３】実施の形態１に係る表示装置の構成を示すブロック図
【図４】実施の形態１に係るコンテンツ格納部のテーブル構成を示す図
【図５】実施の形態１に係るコンテンツ情報格納部のテーブル構成を示す図
【図６】実施の形態１に係る［表示方法＃１］を示すフローチャート図
【図７】実施の形態１に係る［表示方法＃１］を説明するための図
【図８】［表示方法＃１］における画面縮小方法を示すフローチャート図
【図９】実施の形態１に係る［表示方法＃２］を示すフローチャート図
【図１０】実施の形態１に係る［表示方法＃２］を説明するための図
【図１１】実施の形態１に係る［表示方法＃３］を示すフローチャート図
【図１２Ａ】実施の形態１に係る［表示方法＃３］を説明するための図
【図１２Ｂ】実施の形態１に係る［表示方法＃３］を説明するための図
【図１２Ｃ】実施の形態１に係る［表示方法＃３］を説明するための図
【図１２Ｄ】実施の形態１に係る［表示方法＃３］を説明するための図
【図１３】実施の形態１に係る［表示方法＃３］における表示タイミングを示す図
【図１４】本発明の実施の形態２に係る表示装置の構成を示すブロック図
【図１５】実施の形態２に係るコンテンツ情報格納部のテーブル構成を示す図
【図１６】実施の形態２に係る表示制御ルール格納部のテーブル構成を示す図
【図１７】本発明の実施の形態３に係る表示装置の構成を示すブロック図
【図１８】実施の形態３に係る表示制御部の動作を示すフローチャート図
【図１９】実施の形態３に係る表示制御部の動作を説明するための図
【図２０】実施の形態３に係る［表示方法＃４］を説明するための図
【図２１】実施の形態３に係る［表示方法＃４］を説明するための図
【発明を実施するための形態】
【００１２】
以下、本発明の実施の形態について、図面を参照して詳細に説明する。
【００１３】
（実施の形態１）
図１は、本発明の実施の形態に係る情報表示システムの全体の概略構成を示す図である。
【００１４】
図１の情報表示システムは、表示装置２００において複数のコンテンツを再生し表示するシステムであって、コンテンツの保持、配信を行うコンテンツ配信サーバ１００と、複数のコンテンツを取得し、再生しつつ、複数のコンテンツを重ねて表示する表示装置２００と、これらを相互に接続する伝送路３００と、を含む構成である。
【００１５】
コンテンツ配信サーバ１００は、伝送路３００と接続する機能を有し、コンテンツ及びコンテンツ情報を保持し、表示装置２００にコンテンツ及びコンテンツ情報を送信するサ
ーバ装置、若しくは放送局設備である。ここで、コンテンツ情報とは、ユーザがコンテンツを識別するために用いる識別情報である。コンテンツ情報については、後述する。コンテンツ配信サーバ１００は、ワークステーション等により実現される。
【００１６】
表示装置２００は、伝送路３００と接続する機能を有し、コンテンツ配信サーバ１００からコンテンツ又はコンテンツ情報を取得、保持し、ディスプレイ等の表示部（画面）にコンテンツ又はコンテンツ情報を出力し、コンテンツ再生、及び情報表示を行う装置である。
【００１７】
具体的には、表示装置２００は、デジタル放送を受信するためのＳＴＢ（Set Top Box）、デジタルＴＶ（Television）、ＤＶＤ（Digital Versatile Disc）レコーダ、ＨＤＤ（Hard Disk Drive）レコーダ、ＰＣ（Personal Computer）、ＰＤＡ（Personal Digital
Assistance）、携帯電話等のデータ再生装置、記録装置、若しくは、これらの複合機器である。
【００１８】
伝送路３００は、コンテンツ配信サーバ１００と表示装置２００とを、片方向、若しくは双方向に接続するネットワークである。具体的には、伝送路３００は、放送局からの放送信号、イーサネット（登録商標）等の有線ネットワーク、無線ＬＡＮ（Local Area Network）等の無線ネットワーク、若しくは、これらが複合したネットワークで構成される。
【００１９】
次に、コンテンツ配信サーバ１００及び表示装置２００の詳細な構成について説明する。
【００２０】
先ず、コンテンツ配信サーバ１００の詳細な構成について説明する。図２は、コンテンツ配信サーバ１００の詳細な構成を示すブロック図である。
【００２１】
コンテンツ格納部１１１は、ニュース番組、スポーツ番組、音楽番組、映画、演劇、ドラマ、バラエティ、ドキュメンタリー等のコンテンツを格納する。
【００２２】
コンテンツ情報格納部１１２は、コンテンツを識別するための識別情報として、コンテンツ情報を格納する。コンテンツ情報として、本実施の形態では、コンテンツ情報格納部１１２は、コンテンツのタイトルを格納する場合を例に説明する。
【００２３】
通信部１０１は、伝送路３００と接続し、表示装置２００と通信を行う。
【００２４】
コンテンツ取得・送信部１０２は、コンテンツ格納部１１１からコンテンツを取得し、コンテンツ情報格納部１１２からコンテンツ情報を取得し、取得したコンテンツ及びコンテンツ情報を表示装置２００に送信する。
【００２５】
次に、表示装置２００の詳細な構成について説明する。図３は、表示装置２００の詳細な構成を示すブロック図である。
【００２６】
通信部２０１は、伝送路３００と接続し、コンテンツ配信サーバ１００、及び他の端末装置と通信を行う。
【００２７】
コンテンツ受信・取得部２０２は、コンテンツ配信サーバ１００から送信されるコンテンツ又はコンテンツ情報を受信し、取得する。
【００２８】
コンテンツ格納部２１１は、コンテンツ受信・取得部２０２によって受信・取得されたコンテンツを格納する。
【００２９】
コンテンツ情報格納部２１２は、コンテンツ受信・取得部２０２によって受信・取得されたコンテンツ情報を格納する。
【００３０】
表示部２０３は、プラズマディスプレイパネル又は液晶パネル（図示せず）等の表示デバイスであり、コンテンツ画面、又はコンテンツ情報を表示する。
【００３１】
表示制御部２０４は、コンテンツ画面表示部２０４１、識別情報表示部２０４２及び判定部２０４３を含む。
【００３２】
コンテンツ画面表示部２０４１は、ユーザ指示受付部２０５を通じて表示装置２００に入力されたコンテンツ取得要求があった複数のコンテンツのコンテンツ画面の表示位置及び表示サイズを制御する。具体的には、コンテンツ画面表示部２０４１は、各コンテンツをそれぞれ表示する複数のコンテンツ画面に対し、各コンテンツ表示画面が他のコンテンツ画面と重ならない占有領域を含むよう、画面領域全体における表示位置と表示サイズを制御する。ここで、コンテンツ画面表示部２０４１は、後述の判定部２０４３による判定結果に基づいて、複数のコンテンツ画面を占有領域より大きな領域に重畳して表示するための表示データを生成し出力する。コンテンツ画面の表示位置、表示サイズ及び表示形式については、後述する。
【００３３】
識別情報表示部２０４２は、コンテンツ情報の表示位置及び表示形式を制御し、コンテンツ情報を表示部２０３に表示する。コンテンツ情報の表示位置及び表示形式については、後述する。
【００３４】
判定部２０４３は、複数の占有領域の中から、所定の占有領域に表示された一つのコンテンツ画面をユーザが識別したか否か判定する。判定方法は特に限定されず、例えば、判定部２０４３は、タイマーを用いて、表示制御部２０４が各占有領域にコンテンツ画面を表示してから所定の時間だけ経過すると、ユーザが各占有領域に表示されたコンテンツ画面したと判定するとしてもよい。或いは、各ユーザは所望のコンテンツ画面を識別すると、コンテンツ識別完了を示す指示をユーザ指示受付部２０５に入力するようにする。そして、判定部２０４３は、ユーザ指示受付部２０５を通じてコンテンツ識別完了結果が入力されると、ユーザが各占有領域に表示されたコンテンツ画面したと判定するとしてもよい。判定部２０４３は、判定結果をコンテンツ画面表示部２０４１に出力する。
【００３５】
ユーザ指示受付部２０５は、リモコン若しくは表示装置２００への直接操作等によるユーザからの入力を受け付ける。例えば、ユーザ指示受付部２０５は、コンテンツを一意に特定するコンテンツ識別子、コンテンツ取得指示、コンテンツ識別完了結果等の入力を受け付ける。
【００３６】
上記コンテンツ配信サーバ１００、及び表示装置２００を構成する各格納部、及び各処理部において、各格納部は、ＨＤＤ、ＲＡＭ（Random Access Memory）等の記憶媒体で実現され、各処理部はＬＳＩ（Large Scale Integration）等のハードウェア若しくはＣＰＵ（Central Processing Unit）、ＲＡＭ、ＲＯＭ（Read Only Memory）等を利用して実行されるプログラム等によって実現される。なお、表示装置２００において各格納部、各処理部は、ハード的若しくはソフト的に耐タンパされていることが望ましい。
【００３７】
次に、本実施の形態において扱うデータ、及びデータ構造について説明する。
【００３８】
コンテンツ配信サーバ１００のコンテンツ格納部１１１は、コンテンツを管理するデータベースであって、コンテンツ配信スケジュール、若しくは表示装置２００からのコンテ
ンツ取得要求に含まれるコンテンツ識別子に対応したコンテンツを取得するために用いられる。ここで、コンテンツ配信スケジュールとは、コンテンツ配信サーバ１００から配信されるコンテンツのスケジュールである。また、コンテンツ識別子は、情報表示システムにおいてコンテンツを一意に特定するための情報である。
【００３９】
具体的には、コンテンツ格納部１１１は、図４に示すように、コンテンツ識別子Ｄ４０１と、コンテンツ識別子Ｄ４０１に対応するコンテンツＤ４０２とからなるコンテンツ管理テーブルＤ４００を有する。例えば、図４は、コンテンツ識別子Ｄ４０１「ＣＯＮＴＥＮＴ−ＩＤ−０００１」のコンテンツＤ４０２が、「ＣＯＮＴＥＮＴ−ＤＡＴＡ−０００１」であることを示している。なお、コンテンツ格納部１１１へのコンテンツ及びコンテンツ識別子の登録は、コンテンツプロバイダ等によって行われる。
【００４０】
表示装置２００のコンテンツ格納部２１１は、コンテンツを管理するデータベースであって、コンテンツ配信サーバ１００のコンテンツ格納部１１１と同様に、コンテンツ格納部１１１から取得したコンテンツをコンテンツ識別子と対応付けて格納する。
【００４１】
コンテンツ格納部２１１へのデータ登録は、ユーザ指示受付部２０５を通じて表示装置２００にコンテンツ取得要求が入力された場合に、コンテンツ受信・取得部２０２よって行われる。
【００４２】
コンテンツ配信サーバ１００のコンテンツ情報格納部１１２は、コンテンツ情報を管理するデータベースであって、表示装置２００からのコンテンツ取得要求に含まれるコンテンツ識別子に対応したコンテンツ情報を取得するために用いられる。コンテンツ情報は、コンテンツを識別するための識別情報であって、表示部２０３に複数のコンテンツ画面が表示された場合に、各ユーザ自身が所望したコンテンツか否かを識別する際の判断材料に用いられる。
【００４３】
例えば、コンテンツ情報格納部１１２は、図５に示すように、コンテンツ識別子Ｄ５０１と、コンテンツ情報として、コンテンツのタイトルＤ５０２とが対応付けられたコンテンツ情報管理テーブルＤ５００を有する。図５は、コンテンツ識別子Ｄ５０１が「ＣＯＮＴＥＮＴ−ＩＤ−０００１」のコンテンツのタイトルＤ５０２が、「スポーツ＃１」であることを示している。なお、コンテンツ情報格納部１１２へのコンテンツ情報の登録は、コンテンツプロバイダ等によって行われる。
【００４４】
表示装置２００のコンテンツ情報格納部２１２は、コンテンツ情報を管理するデータベースであって、コンテンツ情報格納部１１２と同様に、コンテンツ情報格納部１１２から取得したコンテンツ情報をコンテンツ識別子と対応付けて格納する。
【００４５】
コンテンツ情報格納部２１２へのデータ登録は、ユーザ指示受付部２０５を通じて表示装置２００にコンテンツ取得要求が入力された場合に、コンテンツ受信・取得部２０２よって行われる。
【００４６】
次に、情報表示システムにおいて、表示装置２００が複数のコンテンツを受信し、複数のコンテンツ画面を、画面サイズの犠牲を抑えつつ、各ユーザが視聴可能に表示するまでの各部の処理について、説明する。
【００４７】
（１）コンテンツ受信・取得処理
コンテンツ受信・取得部２０２は、ユーザからの情報入力、及びコンテンツ取得指示により、コンテンツ取得処理を開始する。ユーザは、表示装置２００のアプリケーションに対して、コンテンツ識別子、又は、コンテンツ識別子に準ずる情報を、ユーザ指示受付部
２０５を通じて入力する。以下では、ユーザが、コンテンツのタイトルによる検索や、ＥＰＧ（Electronic Program Guide）画面などからコンテンツを選択することで、コンテンツ識別子「ＣＯＮＴＥＮＴ−ＩＤ−０００１」が指定され、コンテンツ受信・取得部２０２が、コンテンツ取得処理を開始した場合を例に説明する。
【００４８】
ユーザ指示受付部２０５がユーザからの入力を受け付けると、コンテンツ受信・取得部２０２は、コンテンツ識別子を含むコンテンツ取得要求メッセージを生成し、通信部２０１を通じて、生成したコンテンツ取得要求メッセージをコンテンツ配信サーバ１００に送信する。
【００４９】
コンテンツ配信サーバ１００が、通信部１０１を通じて、コンテンツ取得要求メッセージを受信する。次に、コンテンツ取得・送信部１０２は、コンテンツ取得要求メッセージから、コンテンツ識別子「ＣＯＮＴＥＮＴ−ＩＤ−０００１」を抽出し、コンテンツ格納部１１１、及びコンテンツ情報格納部１１２から、対応するコンテンツ「ＣＯＮＴＥＮＴ−ＤＡＴＡ−０００１」、及び、コンテンツ情報としてコンテンツのタイトル「スポーツ＃１」を取得する。
【００５０】
そして、コンテンツ取得・送信部１０２は、取得したコンテンツ及びコンテンツのタイトルを含むコンテンツ送信メッセージを生成し、通信部１０１を通じて、生成したコンテンツ送信メッセージを表示装置２００に送信する。
【００５１】
表示装置２００のコンテンツ受信・取得部２０２は、通信部２０１を通じてコンテンツ送信メッセージを受信すると、受信したコンテンツをコンテンツ格納部２１１に格納する。また、コンテンツ受信・取得部２０２は、コンテンツのタイトルを、コンテンツ情報格納部２１２にデータ登録する。
【００５２】
なお、ここでは、コンテンツ取得の例として、コンテンツ配信サーバ１００が、インターネットを通じてオンデマンド配信（個別配信）する場合について説明したが、コンテンツ及びコンテンツ情報の配信方法については、これに限られず、ダウンロード配信、マルチキャスト配信、同報配信等を用いてもよい。なお、同報配信においては、コンテンツの切り替えは、サーバ側が処理を変更するのではなく、端末側が処理を変更する。このため、ユーザが視聴するコンテンツを切り替えた場合、切り替え後のコンテンツ毎に上記処理が行われる。
【００５３】
以上のようにして、コンテンツ受信・取得部２０２は、ユーザからのコンテンツ取得指示により、コンテンツ配信サーバ１００よりコンテンツ及びコンテンツ情報としてコンテンツのタイトルを取得する。なお、コンテンツのタイトルは、ユーザの端末に含まれるコンテンツ情報格納部１１２に、予め記憶しておき、ユーザの要求に応じて、取得する構成も可能である。
【００５４】
（２）表示処理
次に、表示装置２００の表示制御部２０４が、複数のコンテンツ画面を、画面サイズの犠牲を抑えつつ、各ユーザが視聴できるように表示するまでの各部の処理について説明する。
【００５５】
［表示方法＃１］
図６は、本実施の形態に係る［表示方法＃１］を示すフローチャート図である。
【００５６】
コンテンツ画面表示部２０４１は、複数コンテンツの同時表示指示の有無を判断する（ステップＳ６０１）。なお、コンテンツ画面表示部２０４１は、デフォルト設定、又は、
ユーザ設定により、複数コンテンツの同時表示指示の有無を判断する。デフォルト設定の例として、例えば、ユーザのリモコン操作等により、ユーザ指示受付部２０５を通じて複数のコンテンツ画面の同時表示指示が入力された場合に、コンテンツ画面表示部２０４１は、複数コンテンツの同時表示指示があったと判断する。具体的には、あるコンテンツ画面を表示中に、ユーザ指示受付部２０５が、別のコンテンツの表示指示、又は、ザッピング指示等を受け付けた場合に、コンテンツ画面表示部２０４１は、複数コンテンツ画面の同時表示指示有りと判断する。
【００５７】
複数コンテンツの同時表示指示有りと判断すると、コンテンツ画面表示部２０４１は、同時表示処理を開始する（ステップＳ６０２）。
【００５８】
以下では、２つのコンテンツの表示指示があった場合を例に、表示処理について図７を用いて説明する。図７は、２つのコンテンツとして、図５に示した、タイトル「スポーツ＃１」のコンテンツ識別子「ＣＯＮＴＥＮＴ−ＩＤ−０００１」と、タイトル「ドキュメンタリー＃１」のコンテンツ識別子「ＣＯＮＴＥＮＴ−ＩＤ−０００４」の同時表示指示を受けた場合の例である。
【００５９】
先ず、コンテンツ画面表示部２０４１は、２つのコンテンツ画面を表示部２０３のフル画面サイズよりも小さい画面サイズに縮小して、２つのコンテンツ画面の一部をずらして表示する（ステップＳ６０３）。図７に示す例では、コンテンツ識別子「ＣＯＮＴＥＮＴ−ＩＤ−０００１」（タイトル「スポーツ＃１」）のコンテンツ画面を表示部２０３の画面領域の左下に揃え、コンテンツ識別子「ＣＯＮＴＥＮＴ−ＩＤ−０００４」（タイトル「ドキュメンタリー＃１」）のコンテンツ画面を表示部２０３の画面領域の右上に揃えた例である。
【００６０】
ここで、図８を用いて、コンテンツ画面表示部２０４１における画面サイズを縮小する動作（ステップＳ６０３）の詳細について説明する。
【００６１】
先ず、コンテンツ画面表示部２０４１は、所定のルールにしたがって、表示部２０３のフル画面の４辺のうち、各コンテンツ画面をどの辺に接するか決定する（ステップＳ６０３１）。例えば、コンテンツ画面表示部２０４１は、表示部２０３に先に表示されたコンテンツ画像を左の辺に接する。或いは、後述の実施の形態２で説明するように、表示部２０３に対するユーザの位置に基づいて、コンテンツ画面表示部２０４１は、各コンテンツ画面が接する辺を決定するようにしてもよい。
【００６２】
なお、コンテンツ画面表示部２０４１は、表示部２０３に同時に表示するコンテンツ画面数に応じて、表示部２０３のフル画面の４辺のうち、各コンテンツ画面が接する辺の数を決定するようにしてもよい。以下に、コンテンツ画面数に応じた辺の数の決定例を示す。
コンテンツ画面数が２の場合      ：隣り合う２辺（右上又は左下を含む２辺）を決定
コンテンツ画面数が３又は４の場合：１辺を決定
コンテンツ画面数が５以上の場合  ：１辺に２以上のコンテンツ画面を割り当てる
【００６３】
次に、コンテンツ画面表示部２０４１は、各コンテンツ画面の縮小幅（倍率）を決定する（ステップＳ６０３２）。縮小幅（倍率）として、コンテンツ画面表示部２０４１は、所定値を用いる、又は、表示すべき識別情報に基づき決定する。
【００６４】
そして、コンテンツ画面表示部２０４１は、Ｓ６０３１で決定したコンテンツ画面が接する辺上の点を固定して、画面サイズを縮小する（ステップＳ６０３３）。
【００６５】
なお、コンテンツ画面表示部２０４１は、表示部２０３に同時に表示するコンテンツ画面数に応じて、例えば、以下のように画面サイズを縮小する。
コンテンツ画面数が２の場合      ：コンテンツ画面が接する辺上の点を固定して、画面サイズを縮小する。
コンテンツ画面数が３又は４の場合：コンテンツ画面が接する辺の中央点を固定して、画面サイズを縮小する。
コンテンツ画面数が５以上の場合  ：２画面が割り当てられた辺の中央点から縮小幅分だけ、左右（又は、上下）に動かした２点を固定して、各画面サイズを縮小する。
【００６６】
このように、表示部２０３の表示画面領域の情報と、同時表示するコンテンツ画面数の情報に基づき、固定点を設定するためのルールを変更してもよい。
【００６７】
図７に示す例は、２つのコンテンツ画面が表示部２０３の画面領域において、重なる領域が出来るだけ少なくなるように、コンテンツ画面表示部２０４１が、複数のコンテンツ画面の位置を制御した例である。重なる領域が出来るだけ少なくなるように、２つのコンテンツ画面を重畳して配置する方法としては、例えば、表示部２０３の表示画面領域が長方形の場合、対角線に含まれる２つの頂点をそれぞれのコンテンツ画面の頂点及び固定点となるように配置すればよい。また、表示部２０３の表示画面領域が大きい場合には、対角線でなく長辺に含まれる２つの頂点をそれぞれのコンテンツ画面の頂点及び固定点となるように配置してもよい。
【００６８】
このようにして、コンテンツ画面表示部２０４１は、複数のコンテンツ画面の位置を制御し、制御したコンテンツ画面位置に、２つのコンテンツ画面を透過表示させる。
【００６９】
識別情報表示部２０４２は、２つのコンテンツ画面が重畳されていない画面領域（占有領域）に、各コンテンツ情報を表示する（ステップＳ６０４）。図７に示す例では、コンテンツ情報として、各コンテンツのタイトルが表示された例である。具体的には、コンテンツ識別子「ＣＯＮＴＥＮＴ−ＩＤ−０００１」に対しては、識別情報表示部２０４２は、表示部２０３の画面の左下の領域に、タイトル「スポーツ＃１」を表示する。表示部２０３の画面の左下の領域は、コンテンツ識別子「ＣＯＮＴＥＮＴ−ＩＤ−０００１」のコンテンツのみが占有して表示される領域である。また、識別情報表示部２０４２は、コンテンツ識別子「ＣＯＮＴＥＮＴ−ＩＤ−０００４」に対しては、表示部２０３の画面の右上の領域に、タイトル「ドキュメンタリー＃１」を表示する。表示部２０３の画面の右上の領域は、コンテンツ識別子「ＣＯＮＴＥＮＴ−ＩＤ−０００４」のコンテンツのみが占有して表示される領域である。
【００７０】
以上のようにして、コンテンツ画面表示部２０４１は、表示部２０３のフル画面サイズより小さい画面サイズに縮小し、複数のコンテンツ画面を、互いに他のコンテンツ画面と重ならない占有領域を複数のコンテンツ画面の各々に持たせながら透過表示する。そして、識別情報表示部２０４２は、他のコンテンツ画面と重ならない占有領域に、コンテンツ情報を表示する。このように、他のコンテンツ画面が重畳表示されていない占有領域に、各コンテンツを識別するためのコンテンツのタイトルが表示されるので、各ユーザは、タイトルが表示された占有領域に表示されるコンテンツを識別することができる。判定部２０４３は、各ユーザからのユーザインストラクション等により、ユーザが各占有領域に表示されたコンテンツ画面を識別したか否か判定し、判定結果をコンテンツ画面表示部２０４１に出力する。
【００７１】
そして、判定部２０４３において、各ユーザの意識が所望のコンテンツ画面に向いたことが確認されると、コンテンツ画面表示部２０４１は、複数のコンテンツ画面を透過表示して、そのコンテンツ画面の大部分を重畳して表示する。このとき、各ユーザは、占有領
域の識別情報に意識を向け、そこから画面全体に視野を広げていくことにより、重畳されている画面領域からも、所望のコンテンツを判別して視聴することができる。これにより、各ユーザは、画面サイズの犠牲を抑えつつ、同時に所望のコンテンツを各々視聴することができる。
【００７２】
また、表示装置２００は、コンテンツ画面切り替え時に、上述したような処理を行うことにより、ユーザがチャンネルザッピング等を行う際にも、複数のコンテンツのうち、各ユーザが視聴したいコンテンツを、画面サイズの犠牲を抑えつつ同時に視聴可能に表示することができる。
【００７３】
なお、識別情報表示部２０４２は、コンテンツ情報を、所定の期間だけ表示するようにしてもよい。また、識別情報表示部２０４２は、判定部２０４３において、各ユーザの意識が所望のコンテンツ画面に向いたことが確認された場合に、コンテンツ情報を不表示とするようにしてもよい。
【００７４】
本実施の形態では、識別情報表示部２０４２は、コンテンツ情報を、各ユーザの意識を所望のコンテンツ画面に向けさせるために表示した。したがって、一旦、各ユーザの意識を所望のコンテンツ画面に向けさせることができれば、コンテンツ情報は、コンテンツの視聴には不要となる。
【００７５】
そのため、各ユーザの意識が所望のコンテンツ画面に向いた後、コンテンツ情報を表示しないようにすることにより、占有領域に必要なコンテンツのみが表示されるようになるので、各ユーザは、所望のコンテンツを視聴しやすくなる。
【００７６】
以上のように、コンテンツ画面表示部２０４１は、表示部２０３における複数のコンテンツ画面の表示位置を調整して、互いに他のコンテンツ画面と重ならない占有領域を複数のコンテンツ画面の各々に持たせながら、複数のコンテンツ画面を表示部２０３に透過表示する。これにより、各ユーザの意識を、占有領域に表示されたコンテンツ情報から、視聴したい所望のコンテンツ画面に向けることができ、各ユーザの所望のコンテンツを、画面サイズの犠牲を抑えつつ同時に視聴可能に表示することができる。さらに、識別情報表示部２０４２は、占有領域に、当該占有領域に各コンテンツ画面を識別可能な識別情報を表示することにより、各ユーザが所望のコンテンツに意識を向けさせるまでに要する時間を短縮することができる。
【００７７】
なお、以上の説明では、コンテンツ情報を表示することにより、ユーザの意識を所望コンテンツに向けさせたが、コンテンツ画面縮小時の固定点を強調表示し、ユーザに当該固定点から画面全体に広げる（例えば、右上の固定点から左下に視野を広げる）よう促すことにより、複数のコンテンツ画面から所望のコンテンツ画面を判別させるようにしてもよい。
【００７８】
［表示方法＃２］
図９は、本実施の形態に係る［表示方法＃２］を示すフローチャート図である。
【００７９】
ステップＳ６０１及びＳ６０２と同様に、コンテンツ画面表示部２０４１は、ユーザからの複数コンテンツの同時表示指示により、表示処理を開始する（ステップＳ７０１及びＳ７０２）。
【００８０】
以下では、２つのコンテンツの表示指示があった場合を例に、表示処理について図１０を用いて説明する。図１０は、２つのコンテンツとして、図５に示した、タイトル「スポーツ＃１」のコンテンツ識別子「ＣＯＮＴＥＮＴ−ＩＤ−０００１」と、タイトル「ドキ
ュメンタリー＃１」の「ＣＯＮＴＥＮＴ−ＩＤ−０００４」の同時表示指示を受けた場合の例である。
【００８１】
先ず、コンテンツ画面表示部２０４１は、２つのコンテンツを表示部２０３のフル画面サイズの半分以下の小さい画面サイズに縮小して、表示部２０３に２画面表示する。図１０は、コンテンツ画面表示部２０４１が、コンテンツ識別子「ＣＯＮＴＥＮＴ−ＩＤ−０００１」（タイトル「スポーツ＃１」）のコンテンツを表示部２０３の画面の左側に配置し、コンテンツ識別子「ＣＯＮＴＥＮＴ−ＩＤ−０００４」（タイトル「ドキュメンタリー＃１」）のコンテンツを表示部２０３の画面の右側に配置した例である。
【００８２】
そして、コンテンツ画面表示部２０４１は、２つのコンテンツ画面を透過表示させる。具体的には、図１０に示すように、表示部２０３の画面領域を２つに分割し、各コンテンツ画面が重ならない状態で２画面表示する（ステップＳ７０３）。これにより、各ユーザの意識を所望のコンテンツ画面に向けさせることができる。
【００８３】
そして、判定部２０４３は、各ユーザからのユーザインストラクション等により、ユーザが各占有領域に表示されたコンテンツ画面を識別したか否か判定する（ステップＳ７０４）。
【００８４】
そして、各ユーザの意識が所望のコンテンツ画面に向いた段階で、コンテンツ画面表示部２０４１は、各コンテンツ画面の領域を連続的に徐々に拡大して、コンテンツ画面を重畳して表示する（ステップＳ７０５）。最終的に拡大された画面領域としては、表示部２０３のフル画面サイズとしてもよいし、図７に示したように、表示部２０３の左下隅及び右上隅のみ重畳されてない占有領域を有するようにしてもよい。
【００８５】
このとき、コンテンツ画面表示部２０４１が、各コンテンツ画面の領域を連続的に徐々に拡大することにより、各ユーザの視点は、コンテンツ画面の大きさに従って移動していく。そのため、ステップＳ７０３により、各ユーザの意識が所望のコンテンツ画面に向いていれば、コンテンツ情報を表示しなくても、各ユーザは所望のコンテンツを視聴することができる。
【００８６】
以上のようにして、コンテンツ画面表示部２０４１は、複数のコンテンツ画面を重畳させずに表示部２０３に表示することにより、各ユーザの意識を各コンテンツ画面に向けさせることができる。そして、判定部２０４３が、各ユーザの意識が所望のコンテンツ画面に向いたと判定すると、コンテンツ画面表示部２０４１は、各コンテンツ画面のサイズを徐々に拡大させて、複数のコンテンツ画面を重畳して透過表示する。このように、各ユーザの意識を所望のコンテンツ画面に向けさせてから、複数のコンテンツ画面を重畳して透過表示することにより、各ユーザは、重畳されている画面領域からも、所望のコンテンツを抽出して視聴することができる。これにより、各ユーザは、画面サイズの犠牲を抑えつつ、同時に視聴することができる。
【００８７】
［表示方法＃３］
図１１は、本実施の形態に係る［表示方法＃３］を示すフローチャート図である。
【００８８】
ステップＳ６０１及びＳ６０２と同様に、コンテンツ画面表示部２０４１は、ユーザからの複数コンテンツの同時表示指示により、表示処理を開始する（ステップＳ８０１及びＳ８０２）。
【００８９】
以下では、２つのコンテンツの表示指示があった場合を例に、表示処理について図１２Ａ、図１２Ｂ、図１２Ｃ及び図１２Ｄを用いて説明する。図１２Ａ、１２Ｂ、図１２Ｃ及
び図１２Ｄは、２つのコンテンツとして、図５に示した、タイトル「スポーツ＃１」のコンテンツ識別子「ＣＯＮＴＥＮＴ−ＩＤ−０００１」と、タイトル「ドキュメンタリー＃１」の「ＣＯＮＴＥＮＴ−ＩＤ−０００４」の同時表示指示を受けた場合の例である。
【００９０】
先ず、コンテンツ画面表示部２０４１は、２つのコンテンツのうち、ユーザ＃１の所望のコンテンツ識別子「ＣＯＮＴＥＮＴ−ＩＤ−０００１」のコンテンツのコンテンツ画面（以下「コンテンツ画面＃１」という）を、所定の表示タイミング（以下「表示タイミング＃１」という）で、表示部２０３の中央に大画面サイズで表示する（ステップＳ８０３）。なお、図１２Ａに示すように、ユーザ＃１の意識を表示部２０３に向けさせるように、コンテンツ画面の上部に「ユーザ＃１さん、画面に注目してください」と表示し、更に、コンテンツ識別子「ＣＯＮＴＥＮＴ−ＩＤ−０００１」のコンテンツのタイトル「スポーツ＃１」を表示してもよい。
【００９１】
判定部２０４３は、ユーザ＃１からのリモコン操作等により、ユーザ指示受付部２０５を通じて、ユーザ＃１の意識が所望のコンテンツ画面＃１に向いたか否か判定する（ステップＳ８０４）。そして、判定部２０４３が、ユーザ＃１の意識が所望のコンテンツ画面＃１に向いたことを確認すると、コンテンツ画面表示部２０４１は、画面領域を徐々に小さくしながら、コンテンツ画面＃１を表示タイミング＃１で表示する（ステップＳ８０５）。図１２Ｂは、ステップＳ８０５において、コンテンツ画面＃１が、最終的に表示部２０３の隅に小画面サイズで表示された様子を示している。このようにして、一旦、大画面に向けられたユーザ＃１の意識が維持されたまま、ユーザ＃１の意識が表示部２０３の隅の小画面に移動させられる。
【００９２】
次に、コンテンツ画面表示部２０４１は、上記小画面を表示しつつ、ユーザ＃２の所望のコンテンツ識別子「ＣＯＮＴＥＮＴ−ＩＤ−０００４」のコンテンツ画面（以下「コンテンツ画面＃２」という）を、表示タイミング＃１とは異なる所定の表示タイミング（以下「表示タイミング＃２」という）で、表示部２０３の中央に大画面サイズで表示する（ステップＳ８０６）。なお、図１２Ｃに示すように、ユーザ＃２の意識を表示部２０３に向けさせるように、識別情報表示部２０４２は、コンテンツ画面の上部に「ユーザ＃２さん、画面に注目してください」と表示し、更に、コンテンツ識別子「ＣＯＮＴＥＮＴ−ＩＤ−０００４」のコンテンツのタイトル「ドキュメンタリー＃１」を表示してもよい。
【００９３】
判定部２０４３は、ユーザ＃２からのリモコン操作等により、ユーザ指示受付部２０５を通じて、ユーザ＃２の意識が所望のコンテンツ画面＃２に向いたか否か判定する（ステップＳ８０７）。そして、判定部２０４３が、ユーザ＃２の意識が所望のコンテンツ画面＃２に向いたことを確認すると、コンテンツ画面表示部２０４１は、コンテンツ画面＃２を表示タイミング＃２で表示させつつ、先にユーザ＃１に意識を向けさせたコンテンツ画面＃１を表示タイミング＃１で表示させながら、コンテンツ画面＃１の画面領域を徐々に右上方向に拡大する（ステップＳ８０８）。図１２Ｂの左下隅の小画面から右上に徐々に拡大させていくことにより、ユーザ＃１の視線の移動距離を最小限に抑えることができる。
【００９４】
コンテンツ画面表示部２０４１は、コンテンツ画面＃１の画面領域を拡大した後、コンテンツ画面＃１及びコンテンツ画面＃２を通常画面の大きさで重ねて表示する（ステップＳ８０９）。拡大後の表示部２０３の状態を、図１２Ｄに示す。
【００９５】
ここで、表示タイミング＃１と表示タイミング＃２との関係について説明する。図１３は、表示タイミング＃１と表示タイミング＃２との関係を示す図である。ステップＳ８０３では、図１３に示される表示タイミング＃１（フレームタイミング群＃１）で、コンテンツ画面表示部２０４１は、コンテンツ画面＃１を表示部２０３の中央部の大画面領域に
表示する（図１２Ａ参照）。なお、表示タイミング＃１以外のタイミングでは、コンテンツ画面表示部２０４１は、表示部２０３に何も表示しない。
【００９６】
ユーザインターラクションにより、判定部２０４３においてユーザ＃１の意識がコンテンツ画面＃１に向けられたことが確認されると、図１３に示される表示タイミング＃１（フレームタイミング群＃１）で、コンテンツ画面表示部２０４１は、コンテンツ画面＃１を表示部２０３の中央部の大画面領域から、徐々に表示領域を小さくしながら、表示部２０３の左下の隅の小さい画面領域に表示する（図１２Ｂ参照）。
【００９７】
ステップＳ８０６では、図１３に示される表示タイミング＃２（フレームタイミング群＃２）で、コンテンツ画面表示部２０４１は、コンテンツ画面＃２を表示部２０３に表示する（図１２Ｃ参照）。なお、表示タイミング＃１のタイミングでは、コンテンツ画面表示部２０４１は、コンテンツ画面＃１を表示部２０３の左下の隅の小さい画面領域に表示し続ける（図１２Ｂ参照）。
【００９８】
このとき、表示タイミング＃１及び表示タイミング＃２のレートは、人間が認識可能なフレームレートの数倍に設定し、各ユーザの所望コンテンツ毎に異なるフレームタイミング群を用いて表示する。この結果、各ユーザの意識を一旦所望のコンテンツ画面に向けさせることができると、表示タイミング＃１で表示されるコンテンツ画面＃１に意識が向いたユーザは、表示タイミング＃２で所望でないコンテンツ画面＃２が表示されても、所望のコンテンツ画面＃１のみを認識するようになる。このように、各ユーザが所望のコンテンツ画面に意識を向いた後も、各コンテンツ画面の表示タイミングを制御することにより、図１２Ｄに示すように、画面サイズの犠牲を抑えつつ、表示部２０３上で、複数のコンテンツを同時に視聴することができる。
【００９９】
以上のようにして、コンテンツ画面表示部２０４１は、複数のコンテンツ画面のうち、コンテンツ画面＃１を表示タイミング＃１で表示部２０３に表示する。そして、判定部２０４３において、コンテンツ画面＃１を所望するユーザの意識がコンテンツ画面＃１に向いたことが確認されると、コンテンツ画面表示部２０４１は、コンテンツ画面＃２を表示タイミング＃２で表示部２０３に表示する。表示タイミング＃１及び表示タイミング＃２のレートを、人間が認識可能なフレームレートの数倍に設定し、各ユーザの所望コンテンツ毎に異なるタイミング群を用いて表示することにより（フレームレート方法）、各ユーザは、一旦所望のコンテンツ画面に意識が向くと、表示部２０３に、コンテンツ画面＃１とコンテンツ画面＃２とが交互に大画面で表示されていても、所望のコンテンツ画面のみを認識することになる。これにより、画面サイズの犠牲を抑えつつ、表示部２０３上で、複数のコンテンツを同時に視聴することができる。
【０１００】
なお、以上の説明では、表示制御部２０４が、複数のコンテンツ画面を、画面サイズの犠牲を抑えつつ、各ユーザが視聴できるように表示するまでの各部の処理について、（２）表示処理として一括して説明した。なお、（２）表示処理を、（２−１）複数画面表示方法と、（２−２）所望のコンテンツ画面にユーザの意識を向けさせる方法とに分け、（２−１）において、透過表示方法又はフレームレート方法を用い、（２−２）において、上記［表示方法＃１］〜［表示方法＃３］を用いるとしてもよい。この場合、（２−１）の方法と、（２−２）の方法とのいずれの組み合わせを用いるようにしてもよい。
【０１０１】
（実施の形態２）
図１４に本実施の形態に係る表示装置の要部構成を示す。なお、図１４の本実施の形態に係る表示装置において、図１と共通する構成部分には、図１と同一の符号を付して説明を省略する。図１４の表示装置２００Ａは、図１の表示装置２００に対して、表示制御ルール格納部２１３を追加した構成を採る。
【０１０２】
なお、本実施の形態では、コンテンツ情報格納部２１２は、コンテンツ情報として、コンテンツの「タイトル」に加えて、更に、「出演者」、「コンテンツ分類」、「明度」、「文字表示箇所」、「文字情報サイズ」に関する情報を含むコンテンツ情報管理テーブルＤ５００を有する。
【０１０３】
図１５に、本実施の形態におけるコンテンツ情報管理テーブルＤ５００の一例を示す。図１５に示す例では、コンテンツ情報管理テーブルＤ５００は、コンテンツ識別子Ｄ５０１と、識別情報と、コンテンツの特徴を示す情報（コンテンツ特徴情報）とが対応付けられている例である。図１５に示す例では、識別情報として、「タイトル」、「出演者」、「コンテンツ分類」がコンテンツ識別子に対応付けられており、コンテンツ特徴情報として、「明度」、「文字表示箇所」、「文字情報サイズ」が対応付けられている。「コンテンツ分類」とは、例えば、コンテンツのジャンル、属性等を示す。
【０１０４】
図１５において、例えば、コンテンツ識別子Ｄ６０１が「ＣＯＮＴＥＮＴ−ＩＤ−０００１」の場合、識別情報として、タイトルが「タイトル＃１」であり、出演者が「Ａ、Ｂ、Ｃ」であり、コンテンツ分類が「映画」であることを示し、コンテンツの特徴として、明度（平均／最大／最小［％］）が「５０／８０／１０」であり、文字表示箇所（最大／最小［ポイント］）が「下、右端」であり、文字情報サイズが「５０／１０」であることを示している。
【０１０５】
表示制御ルール格納部２１３は、表示制御ルールを管理するデータベースであって、コンテンツ情報管理テーブルＤ５００に含まれるコンテンツ特徴情報に応じて、複数コンテンツの同時表示を制御する表示制御ルールを設定するために用いられる。
【０１０６】
具体的には、表示制御ルール格納部２１３は、図１６に示すように、ルール識別子と、制御ルールと、優先順位と、が対応付けられた表示制御ルール管理テーブルＤ７００を有する。なお、図１６において、表示制御ルール管理テーブルＤ７００は、制御ルールとして、判断パラメータ、判断条件、及び、制御内容を含み、優先順位として、事業者設定及びユーザ設定を含んだ例である。
【０１０７】
例えば、ルール識別子「ＲＵＬＥ−ＩＤ−０００１」では、「明度」を判断パラメータに用い、「平均明度の差＞３０」の場合、「明度の差を補正」する。これにより、暗いコンテンツ画面は輝度を上げて明るく表示され、明るいコンテンツ画面は輝度を下げて暗く表示されるので、同時に表示される複数のコンテンツ画面の明度が極端に異なるのを回避することができる。この結果、所望でないコンテンツ画面が明るすぎて、所望コンテンツの視聴の邪魔になるのを防止することができる。
【０１０８】
なお、「平均明度の差＞３０」を満たさない場合においても、明るい画面を前面に表示し、暗い画面を背面に表示するようにしてもよい。これにより、各コンテンツ画面を透過表示した場合に、各ユーザは所望のコンテンツを見やすくすることができる。
【０１０９】
また、明度だけでなく、色相、彩度等、又は、これらパラメータを組み合わせて、輝度を変更するようにしてもよい。
【０１１０】
また、ルール識別子「ＲＵＬＥ−ＩＤ−０００２」では、「明度」を判断パラメータに用い、「２画面間の最大明度と最小明度の差＞６０」の場合、「透過表示以外の方法で表示」する。ここで、透過表示以外の方法として、実施の形態１の［表示方法＃３］で説明したフレームレート表示方法、実施の形態１の［表示方法＃２］において図１０で説明した２画面表示方法、又は、一方のコンテンツのみを小さい画面領域に表示する子画面表示
方法等を用いる。一般に、暗いコンテンツ画面と明るいコンテンツ画面とを透過表示方法を用いて重畳して表示すると、各ユーザは所望のコンテンツ画面に意識を向け続けることが困難となる。そこで、明度の差が大きい場合には、透過表示方法を用いず、他の方法を優先的に用いることにより、ユーザが所望のコンテンツを見やすくすることができる。
【０１１１】
また、ルール識別子「ＲＵＬＥ−ＩＤ−０００３」では、コンテンツに文字が含まれる場合に、「文字表示箇所」を判断パラメータに用い、「文字表示箇所が異なる」場合、「文字表示箇所が占有領域になるように表示」する。ここで、占有領域とは、他のコンテンツ画面と重畳して表示されない領域であり、占有領域に文字表示が表示されるようにすることにより、複数のコンテンツの文字表示が重畳されて見づらくなるのを回避することができる。
【０１１２】
また、ルール識別子「ＲＵＬＥ−ＩＤ−０００４」では、コンテンツに文字が含まれる場合に、「文字情報サイズ」を判断パラメータに用い、「文字情報の最大サイズ＜３０」の場合、「当該画面サイズを大きくする」。文字サイズが小さく細かい文字が含まれる場合、コンテンツを表示する画面のサイズを大きく確保するほど、文字も大きく表示されるようになるので、ユーザにとって視聴しやすくなる。
【０１１３】
また、ルール識別子「ＲＵＬＥ−ＩＤ−０００５」では、リモコン入力を受け付ける場合を想定し、「ユーザ位置」を判断パラメータに用いる。ユーザ指示受付部２０５は、リモコンからの操作入力信号の到来方向から検知することにより、「ユーザ位置」を取得し、「直前のコンテンツ選択指示をリモコン操作したユーザの位置側に当該コンテンツを表示する」。コンテンツ選択指示としては、例えば、ザッピング指示等がある。これにより、左側に位置するユーザの所望のコンテンツ画面が表示部２０３の左側に表示され、右側に位置するユーザの所望のコンテンツ画面が表示部２０３の右側に表示されるので、各ユーザは自然な姿勢で各コンテンツを視聴することができる。
【０１１４】
また、ルール識別子「ＲＵＬＥ−ＩＤ−０００６」では、コンテンツの「タイトル」を判断パラメータに用い、コンテンツのタイトルが「１０文字以上」の場合、タイトルを「縦書き」で表示する。上述したように、タイトルは、各ユーザ自身が所望したコンテンツか否かを識別する際の判断材料に用いられる。
【０１１５】
したがって、タイトルは、出来るだけコンテンツ画面と一体化して、かつ、タイトル同士が出来るだけ離れて表示されるのが望ましい。ところで、表示部２０３の画面領域は、通常、縦に比べ横が長い。そのため、タイトルは、表示部２０３の画面領域の左右に離れて配置されるのが望ましい。
【０１１６】
しかし、タイトルの文字数が長い場合にタイトルを横書きで表示すると、画面領域の中央を超えて表示されてしまい、どちらのコンテンツ画面に対応するものか一目で判断しにくくなってしまう場合がある。そこで、タイトルの文字数が長い場合には、縦書きで表示することにより、複数のタイトルを表示部２０３の画面領域の左右に離れて配置することができるため、各ユーザは、タイトルに基づいて所望のコンテンツ画面を認識しやすくなる。
【０１１７】
また、ルール識別子「ＲＵＬＥ−ＩＤ−０００７」では、出演者が「２人以上」の場合、全出演者をコンテンツ情報として表示するのでなく、出演者を一人ずつ順次表示する。これにより、コンテンツ情報の表示領域を小さく抑えることができ、所望のコンテンツの視聴の邪魔にならないようにすることができる。
【０１１８】
このように、表示制御ルール格納部２１３は、表示制御ルールを管理する。なお、表示
制御ルール格納部２１３へのデータ登録又は更新は、表示装置２００の出荷時に予め登録する、若しくは通信部２０１を通じて事業者機器や他端末等から受信することにより行われる。表示制御ルールの登録又は更新は、通信部２０１を通じて行うことができるので、事業者、端末メーカー等による柔軟な表示制御が可能となる。
【０１１９】
なお、図１６に示すように、事業者により、ルール識別子毎に優先度を設定し、各条件が競合した場合には、優先順位に従って制御すればよい。
【０１２０】
また、以上の説明では、事業者側の視点で表示制御ルールを設定するとして説明したが、ユーザ側の視点でユーザ自身が見やすいように設定するとしてもよい。この場合、事業者がユーザに設定を許可する項目と許可しない項目とを設けるようにしてもよい。また、各ユーザにより設定された表示制御ルールの優先度は、事業者により設定された優先度よりも高いとしてもよい。
【０１２１】
（実施の形態３）
図１７に本実施の形態に係る表示装置の要部構成を示す。なお、図１７の本実施の形態に係る表示装置において、図３と共通する構成部分には、図３と同一の符号を付して説明を省略する。図１７の表示装置２００Ｂは、図３の表示装置２００に対して、表示制御部２０４に代えて、表示制御部２０４Ｂを有する。
【０１２２】
表示制御部２０４Ｂは、コンテンツ画面表示部２０４１Ｂ、識別情報表示部２０４２Ｂ及び判定部２０４３を含む。
【０１２３】
コンテンツ画面表示部２０４１Ｂは、コンテンツ画面表示部２０４１と同様に、ユーザ指示受付部２０５を通じて表示装置２００に入力されたコンテンツ取得要求があった複数のコンテンツのコンテンツ画面の表示位置及び表示サイズを制御する。具体的には、具体的には、コンテンツ画面表示部２０４１Ｂは、各コンテンツをそれぞれ表示する複数のコンテンツ画面に対し、各コンテンツ表示画面が他のコンテンツ画面と重ならない占有領域を含むよう、画面領域全体における表示位置と表示サイズを制御する。また、コンテンツ画面表示部２０４１Ｂは、後述の判定部２０４３による判定結果に基づいて、複数のコンテンツ画面を占有領域より大きな領域に重畳して表示するための表示データを生成し出力する。コンテンツ画面の表示位置及び表示形式については、後述する。
【０１２４】
識別情報表示部２０４２Ｂは、占有領域に、各コンテンツ画面を識別可能な識別情報を付加する。これにより、占有領域に各ユーザの意識を誘導させて、ユーザが所望コンテンツを識別するまでに要する時間を短縮することができる。例えば、識別情報表示部２０４２Ｂは、識別情報表示部２０４２と同様に、コンテンツ情報の表示位置及び表示形式を制御し、コンテンツ情報を占有領域に表示する。識別情報表示部２０４２Ｂにおける識別情報の表示方法については、後述する。
【０１２５】
次に、表示制御部２０４Ｂの動作について図１８を用いて説明する。図１８は、表示制御部２０４Ｂにおける表示方法を示すフローチャート図である。
【０１２６】
コンテンツ画面表示部２０４１Ｂは、複数コンテンツの同時表示指示の有無を判断する（ステップＳ９０１）。なお、コンテンツ画面表示部２０４１Ｂは、デフォルト設定、又は、ユーザ設定により、複数コンテンツの同時表示指示の有無を判断する。デフォルト設定の例として、例えば、ユーザのリモコン操作等により、ユーザ指示受付部２０５を通じて複数のコンテンツ画面の同時表示指示が入力された場合に、コンテンツ画面表示部２０４１Ｂは、複数コンテンツの同時表示指示があったと判断する。具体的には、あるコンテンツ画面を表示中に、ユーザ指示受付部２０５が、別のコンテンツの表示指示、又は、ザ
ッピング指示等を受け付けた場合に、コンテンツ画面表示部２０４１Ｂは、複数コンテンツ画面の同時表示指示有りと判断する。
【０１２７】
複数コンテンツの同時表示指示有りと判断すると、コンテンツ画面表示部２０４１Ｂは、同時表示処理を開始する（ステップＳ９０２）。
【０１２８】
先ず、コンテンツ画面表示部２０４１Ｂは、各コンテンツをそれぞれ表示する複数のコンテンツ画面に対し、各コンテンツ表示画面が他のコンテンツ画面と重ならない占有領域を含むよう、画面領域全体における表示位置と表示サイズを制御し、表示する（ステップＳ９０３）。
【０１２９】
各占有領域の設定方法としては、例えば、実施の形態１で説明した［表示方法＃１］〜［表示方法＃３］を用いることができる。
【０１３０】
例えば、［表示方法＃１］では、図７に示したように、タイトル「スポーツ＃１」のコンテンツ識別子「ＣＯＮＴＥＮＴ−ＩＤ−０００１」は、画面の左端及び下部に占有領域が設けられている。また、タイトル「ドキュメンタリー＃１」のコンテンツ識別子「ＣＯＮＴＥＮＴ−ＩＤ−０００４」は、画面の右端及び上部に占有領域が設けられている。
【０１３１】
また、［表示方法＃２］では、コンテンツ識別子「ＣＯＮＴＥＮＴ−ＩＤ−０００１」（タイトル「スポーツ＃１」）のコンテンツは、表示部２０３の画面の左側に占有領域が設けられている。また、コンテンツ識別子「ＣＯＮＴＥＮＴ−ＩＤ−０００４」（タイトル「ドキュメンタリー＃１」）のコンテンツは、表示部２０３の画面の右側に占有領域が設けられている。
【０１３２】
また、［表示方法＃３］では、各コンテンツに対し占有領域がフレームタイミング群ごとに設けられている。すなわち、［表示方法＃３］では、時間軸上で互いに他のコンテンツ画面と重ならない占有領域が用いられる。
【０１３３】
このようにして、コンテンツ画面表示部２０４１Ｂは、表示部２０３の画面領域のうち、互いに他のコンテンツ画面と重ならない占有領域を含むよう、画面領域全体における表示位置と表示サイズを制御する。これにより、各ユーザは、占有領域を注目して見ることにより所望のコンテンツを識別することができる。
【０１３４】
識別情報表示部２０４２Ｂは、占有領域に、各コンテンツ画面を識別可能な識別情報を付加する（ステップＳ９０４）。これにより、各ユーザの意識を占有領域に誘導させる。
【０１３５】
識別情報を付加する方法としては、識別情報表示部２０４２と同様に、識別情報表示部２０４２Ｂは、占有領域にコンテンツ情報を表示するようにしてもよい。また、識別情報表示部２０４２Ｂは、各占有領域に異なる色を付ける、或いは、各占有領域の枠を点滅させるようにしてもよい。また、識別情報表示部２０４２Ｂは、表示部２０３の両側に設置されたステレオ（図１７において図示省略）を形成するスピーカのうち、各コンテンツ画面が表示される占有領域に近い側のスピーカから当該コンテンツ画面の映像に連動した音声等を再生するようにしてもよい。
【０１３６】
このようにして、識別情報表示部２０４２Ｂは、コンテンツ情報、占有領域の枠の色、占有領域の枠の点滅、或いは、占有領域に表示されるコンテンツ画面の映像に連動した音声等を識別情報として、占有領域に付加する。これにより、占有領域に各ユーザの意識が誘導されて、各ユーザが各コンテンツ画面を認識するまでに要する時間を短縮することができる。ただし、占有領域に、コンテンツ画面の識別が容易となる情報（例えば、番組タ
イトル等）が含まれている場合には、必ずしも、識別情報表示部２０４２Ｂは、識別情報を付加する必要はなく、ステップＳ９０４を省いてもよい。
【０１３７】
判定部２０４３は、例えば、ユーザ指示受付部２０５を用いたユーザインターラクションにより、ユーザが所望のコンテンツ画面を識別したか否か判定する（ステップＳ９０５）。
【０１３８】
ユーザが所望のコンテンツ画面を識別した場合、コンテンツ画面表示部２０４１Ｂは、複数のコンテンツ画面を重畳表示する（ステップＳ９０６）。重畳表示の方法としては、例えば、実施の形態１で説明した透過表示方法又はフレームレート方法を用いることができる。なお、識別情報表示部２０４２Ｂは、所定の占有領域に表示された一つのコンテンツ画面をユーザが識別した場合、識別情報表示部２０４２Ｂは、ユーザに対し視野拡大のサポートを行う。具体的には、識別情報表示部２０４２Ｂは、表示部２０３に視野拡大を促すメッセージを表示する。また、識別情報表示部２０４２Ｂは、各占有領域の枠を大きな領域まで徐々に拡大するようにしてもよい。さらに、識別情報表示部２０４２Ｂは、例えば、図１９Ａ、図１９Ｂ及び図１９Ｃに示すように、図１９Ａ、図１９Ｂ、図１９Ｃの順に、占有領域の枠を薄くしながら表示領域を拡大し、最終的に表示領域が最大となったタイミングで占有領域の枠を消すようにしてもよい。これらにより、占有領域と各コンテンツ画面領域とが等しい場合に、各ユーザは、視野を占有領域から大きな領域にスムーズに視野を拡大することができる。
【０１３９】
以上のように、本実施の形態では、コンテンツ画面表示部２０４１Ｂは、各コンテンツをそれぞれ表示する複数のコンテンツ画面に対し、各コンテンツ表示画面が他のコンテンツ画面と重ならない占有領域を含むよう、画面領域全体における表示位置と表示サイズを制御する。ここで、コンテンツ画面表示部２０４１Ｂは、後述の判定部２０４３による判定結果に基づいて、複数のコンテンツ画面を占有領域より大きな領域に重畳して表示するための表示データを生成し出力する。これにより、画面サイズの犠牲を抑えつつ、各所望コンテンツを複数のユーザが同時に視聴することができる。
【０１４０】
なお、占有領域の設定方法としては、［表示方法＃１］〜［表示方法＃３］以外の方法を用いてもよい。以下、他の表示方法として、［表示方法＃４］を説明する。
【０１４１】
［表示方法＃４］
以下では、２つのコンテンツの表示指示があった場合を例に、表示処理について図２０を用いて説明する。図２０は、２つのコンテンツ画面＃１，＃２の同時表示指示を受けた場合の例である。
【０１４２】
コンテンツ画面表示部２０４１Ｂは、表示部２０３の特定領域を、各コンテンツを表示する占有領域として設定する。図２０に示す例では、コンテンツ画面表示部２０４１Ｂは、表示部２０３の画面の中央から右に約１／３の位置にコンテンツ画面＃１の占有領域を確保し、当該占有領域にコンテンツ画面＃１を表示する。また、コンテンツ画面表示部２０４１Ｂは、画面の中央から左に約１／３の位置にコンテンツ画面＃２の占有領域を確保し、当該占有領域にコンテンツ画面＃２を表示する。
【０１４３】
なお、コンテンツ画面表示部２０４１Ｂは、上記占有領域の位置及び大きさを、「コンテンツ分類」に基づいて、設定するようにしてもよい。ここで、「コンテンツ分類」とは、上述したように、例えば、コンテンツのジャンル、属性等を示す。
【０１４４】
具体的には、コンテンツ画面表示部２０４１Ｂは、「コンテンツ分類」に基づいて、ユーザがコンテンツ画面をより識別しやすい領域を占有領域として設定してもよい。例えば
、コンテンツ分類が野球等のスポーツの場合、コンテンツ画面表示部２０４１Ｂは、野球の得点が表示される領域を占有領域として設定し、当該占有領域に野球の得点を表示するようにしてもよい。また、例えば、コンテンツ分類が司会者進行型のバラエティの場合、コンテンツ画面表示部２０４１Ｂは、司会者が通常表示される領域を占有領域として設定し、当該占有領域に司会者を表示するようにしてもよい。或いは、コンテンツ画面表示部２０４１Ｂは、コンテンツ画面に対して画像認識を行って、司会者が表示されている領域を占有領域として設定し、当該占有領域に司会者を表示するようにしてもよい。或いは、コンテンツ配信サーバ１００が「コンテンツ分類」に基づいてコンテンツ画面の特徴が最もよく映し出される領域を予め占有領域として指定し、当該占有領域の情報をメタデータとして、コンテンツ画面とともに配信するようにしてもよい。
【０１４５】
また、コンテンツ画面表示部２０４１Ｂは、文字表示領域或いは動きが少ない領域を占有領域に設定するようにしてもよい。文字表示領域の例としては、番組タイトル、ニュース又は映画等の字幕表示領域等がある。コンテンツ画面表示部２０４１Ｂが、文字表示領域或いは動きが少ない領域を占有領域として、当該占有領域に各コンテンツ画面を表示することにより、ユーザを占有領域に意識を向けやすくなる。
【０１４６】
また、コンテンツ画面表示部２０４１Ｂは、上記占有領域の位置及び大きさを、重畳表示される各コンテンツ画面の特徴に基づいて、設定するようにしてもよい。例えば、空、或いは海のように色の変化が少ない領域は、その一部が表示されなくても、コンテンツ画面の認識率の向上に与える影響が少ないと考えられる。そこで、コンテンツ画面表示部２０４１Ｂは、コンテンツ画面の色相に基づいて、第１コンテンツ画面において色の変化が少ない領域に、第２コンテンツ画面の占有領域を設けるようにしてもよい。
【０１４７】
また、明度が非常に低い領域、反対に、明度が非常に高い領域に、他のコンテンツ画面と重畳すると見づらくなると考えられる。そこで、コンテンツ画面表示部２０４１Ｂは、コンテンツ画面の明度に基づいて、第１コンテンツ画面において明度が非常に低い又は高い領域に、第２コンテンツ画面の占有領域を設けるようにしてもよい。明度が非常に低い例としては、暗闇で撮影された映像であったり、明度が非常に高い例としては、ライトを照射して撮影された映像である。
【０１４８】
なお、［表示方法＃４］で説明したように、占有領域とコンテンツ画面領域とが異なる場合に、識別情報表示部２０４２Ｂは、以下のようにして、ユーザに対し視野拡大のサポートを行ってもよい。例えば、識別情報表示部２０４２Ｂは、図２１に示すように、図２１Ａ、図２１Ｂ、図２１Ｃ、図２１Ｄの順に、コンテンツ画面自体のサイズは変化させずに、占有領域の枠のみを拡大させるようにしてもよい。これにより、占有領域とコンテンツ画面領域とが異なる場合においても、各ユーザは、視野を占有領域からコンテンツ画面が既に表示されている大きな領域にスムーズに視野を拡大することができる。
【０１４９】
また、識別情報表示部２０４２Ｂは、占有領域の枠の拡大にともない、当該枠を徐々に薄くしてもよい。また、識別情報表示部２０４２Ｂは、占有領域の枠のみを拡大し、当該枠の拡大にともない、占有領域を縮小するようにし、当該枠が最大になったタイミングで占有領域がなくなり、コンテンツ画面の全体が重畳されるようにしてもよい。これらにより、各ユーザは、視野を占有領域から大きな領域にスムーズに視野を拡大することができる。
【０１５０】
２００９年８月１０日出願の特願２００９−１８５８４０に含まれる明細書、図面及び要約書の開示内容は、すべて本願に援用される。
【産業上の利用可能性】
【０１５１】
本発明は、ＤＶＤ等のパッケージメディアによるコンテンツ配信サービス受信端末、デジタル放送、ＣＡＴＶ（Common Antenna TeleVision）、インターネット等によるコンテンツ表示端末等として有用である。
【符号の説明】
【０１５２】
１００  コンテンツ配信サーバ
１０１、２０１  通信部
１０２  コンテンツ取得・送信部
１１１  コンテンツ格納部
１１２  コンテンツ情報格納部
２００，２００Ａ，２００Ｂ  表示装置
２０２  コンテンツ受信・取得部
２０３  表示部
２０４，２０４Ｂ  表示制御部
２０４１，２０４１Ｂ  コンテンツ画面表示部
２０４２，２０４２Ｂ  識別情報表示部
２０４３  判定部
２０５  ユーザ指示受付部
２１１  コンテンツ格納部
２１２  コンテンツ情報格納部
２１３  表示制御ルール格納部
３００  伝送路
【手続補正２】
【補正対象書類名】特許請求の範囲
【補正対象項目名】全文
【補正方法】変更
【補正の内容】
【特許請求の範囲】
【請求項１】
複数のコンテンツの表示を制御する表示制御装置であって、
各コンテンツをそれぞれ表示する複数のコンテンツ画面に対し、各コンテンツ表示画面が他のコンテンツ画面と重ならない占有領域を含むよう、画面領域全体における表示位置と表示サイズを制御し、前記複数のコンテンツ画面の表示データを生成して出力するコンテンツ画面表示手段と、
複数の前記占有領域の中から、所定の占有領域に表示された一つのコンテンツ画面をユーザが識別したか否か判定する判定手段と、を備え、
前記コンテンツ画面表示手段は、前記判定手段による判定結果に基づいて、前記複数のコンテンツ画面を前記占有領域より大きな領域に重畳して表示するための表示データを生成することを特徴とする表示制御装置。
【請求項２】
前記コンテンツ画面表示手段は、
前記所定の占有領域に表示された一つのコンテンツ画面を前記ユーザが識別した場合、前記占有領域の枠を前記大きな領域まで徐々に拡大する、
請求項１に記載の表示制御装置。
【請求項３】
前記コンテンツ画面表示手段は、
前記所定の占有領域に表示された一つのコンテンツ画面を前記ユーザが識別した場合、前記画面領域全体の一部に前記ユーザに視野拡大を促すメッセージを表示する、
請求項１に記載の表示制御装置。
【請求項４】
前記占有領域に、前記各コンテンツ画面を識別可能な識別情報を付加する識別情報表示手段、を更に具備する、
請求項１に記載の表示制御装置。
【請求項５】
前記コンテンツ画面表示手段は、
前記複数のコンテンツ画面を透過表示する、又は前記各コンテンツ画像をフレームレートの数倍のレートで交互に表示することにより、前記複数のコンテンツ画面を前記大きな領域に重畳して表示する、
請求項１に記載の表示制御装置。
【請求項６】
前記コンテンツ画面表示手段は、
前記各コンテンツのジャンル又は属性に基づいて、前記占有領域を設定する、
請求項１に記載の表示制御装置。
【請求項７】
前記コンテンツ画面表示手段は、
前記各コンテンツ画面の文字表示領域、色合又は明度に基づいて、前記占有領域を設定する、
請求項１に記載の表示制御装置。
【請求項８】
複数のコンテンツの表示を制御する表示制御方法であって、
各コンテンツをそれぞれ表示する複数のコンテンツ画面に対し、各コンテンツ表示画面が他のコンテンツ画面と重ならない占有領域を含むよう、画面領域全体における表示位置と表示サイズを制御し、前記複数のコンテンツ画面の表示データを生成して出力する画面表示ステップと、
複数の前記占有領域の中から、所定の占有領域に表示された一つのコンテンツ画面をユーザが識別したか否か判定する判定ステップと、を備え、
前記画面表示ステップは、前記判定ステップによる判定結果に基づいて、前記複数のコ
ンテンツ画面を前記占有領域より大きな領域に重畳して表示するための表示データを生成することを特徴とする表示制御方法。
【手続補正３】
【補正対象書類名】図面
【補正対象項目名】全図
【補正方法】変更
【補正の内容】
【図１】
2011018888.tif 000027
【図２】
2011018888.tif 000028
【図３】
2011018888.tif 000029
【図４】
2011018888.tif 000030
【図５】
2011018888.tif 000031
【図６】
2011018888.tif 000032
【図７】
2011018888.tif 000033
【図８】
2011018888.tif 000034
【図９】
2011018888.tif 000035
【図１０】
2011018888.tif 000036
【図１１】
2011018888.tif 000037
【図１２Ａ】
2011018888.tif 000038
【図１２Ｂ】
2011018888.tif 000039
【図１２Ｃ】
2011018888.tif 000040
【図１２Ｄ】
2011018888.tif 000041
【図１３】
2011018888.tif 000042
【図１４】
2011018888.tif 000043
【図１５】
2011018888.tif 000044
【図１６】
2011018888.tif 000045
【図１７】
2011018888.tif 000046
【図１８】
2011018888.tif 000047
【図１９】
2011018888.tif 000048
【図２０】
2011018888.tif 000049
【図２１】
2011018888.tif 000050
【国際調査報告】
2011018888.tif 000051
2011018888.tif 000052
2011018888.tif 000053
2011018888.tif 000054